(57)【特許請求の範囲】
【請求項１】
ユーザ機器（ＵＥ）による使用のために構成される複数のキャリア上でのデータ送信を受信することと、
前記ＵＥにおいて、前記データ送信に対する肯定応答／否定応答（ＡＣＫ／ＮＡＣＫ）ビットを決定することと、
前記複数のキャリアに対するＡＣＫ／ＮＡＣＫ情報を送るために、少なくとも１つのＡＣＫ／ＮＡＣＫ送信技術を決定すること、前記少なくとも１つのＡＣＫ／ＮＡＣＫ送信技術は、少なくとも、クロスキャリアバンドリング技術と前記クロスキャリアバンドリング技術に関連しない技術を具備する複数のＡＣＫ／ＮＡＣＫ送信技術から選択され、前記クロスキャリアバンドリング技術は、前記ＡＣＫ／ＮＡＣＫビットの総数がＡＣＫ／ＮＡＣＫビットの閾値を超えたときに選択される、と、
前記複数のキャリア上での前記データ送信に対する前記ＡＣＫ／ＮＡＣＫビットの総数にもとづいて、ＡＣＫ／ＮＡＣＫビットをバンドルすべき、前記複数のキャリアの少なくとも２つのキャリアを決定することと、
前記少なくとも２つのキャリア上での前記データ送信に対して、キャリアにまたがって、前記ＡＣＫ／ＮＡＣＫビットをバンドルすることと、
前記少なくとも２つのキャリア上での前記データ送信に対する少なくとも１つのバンドルされたＡＣＫ／ＮＡＣＫビットを備えるＡＣＫ／ＮＡＣＫ情報を送ることと、
を備える、ワイヤレス通信のための方法。
【請求項２】
ＡＣＫ／ＮＡＣＫビットをバンドルすべき前記少なくとも２つのキャリアを決定することは、同じ周波数帯域から前記少なくとも２つのキャリアを選択することを備える、請求項１に記載の方法。
【請求項３】
ＡＣＫ／ＮＡＣＫビットをバンドルすべき前記少なくとも２つのキャリアを決定することは、前記データ送信が受信されるキャリアの数に基づく、請求項１に記載の方法。
【請求項４】
ＡＣＫ／ＮＡＣＫビットをバンドルすべき前記少なくとも２つのキャリアを決定することは、前記ＡＣＫ／ＮＡＣＫ情報を送るために利用可能なペイロードビット数に、さらに基づく、請求項１に記載の方法。
【請求項５】
ＡＣＫ／ＮＡＣＫビットをバンドルすべき前記少なくとも２つのキャリアを決定することは、前記複数のキャリアのそれぞれに係るデータ送信モードに基づいて、前記少なくとも２つのキャリアを選択することを備える、請求項１に記載の方法。
【請求項６】
ＡＣＫ／ＮＡＣＫビットをバンドルすべき前記少なくとも２つのキャリアを決定することは、
キャリアにまたがってＡＣＫ／ＮＡＣＫビットをバンドルすべきキャリアのグループを示す構成メッセージを受信することと、
キャリアの前記グループにしたがって前記少なくとも２つのキャリアを決定することと、
を備える、請求項１に記載の方法。
【請求項７】
ＡＣＫ／ＮＡＣＫビットをバンドルすべき前記少なくとも２つのキャリアを決定することは、前記複数のキャリアのそれぞれに係る終了目標に基づいて、前記少なくとも２つのキャリアを選択することを備える、請求項１に記載の方法。
【請求項８】
ＡＣＫ／ＮＡＣＫビットをバンドルすべき前記少なくとも２つのキャリアを決定することは、
前記複数のキャリアの中の各キャリアに関連付けられる干渉特性を決定することと、
干渉特性の類似性に基づいて、前記少なくとも２つのキャリアを選択することと、
を備える、請求項１に記載の方法。
【請求項９】
前記ＡＣＫ／ＮＡＣＫ情報は、さらに、前記複数のキャリアの中の少なくとも１つの残りのキャリア上での少なくとも１つのデータ送信に対する少なくとも１つのＡＣＫ／ＮＡＣＫビットを、キャリアをまたがった前記少なくとも１つのＡＣＫ／ＮＡＣＫビットのバンドリングなしで備える、請求項１に記載の方法。
【請求項１０】
前記ＡＣＫ／ＮＡＣＫ情報を送ることは、前記複数のキャリアに関連付けられる単一のアップリンクキャリア上で前記ＡＣＫ／ＮＡＣＫ情報を送ることを備える、請求項１に記載の方法。
【請求項１１】
前記複数のキャリアの中の少なくとも１つのキャリア上でのデータ送信に対するＡＣＫ／ＮＡＣＫビットの空間バンドリングを実行することをさらに備える、請求項１に記載の方法。
【請求項１２】
複数のサブフレームにおける少なくとも１つのキャリア上でのデータ送信に対するＡＣＫ／ＮＡＣＫビットのサブフレームバンドリングを実行すること、前記少なくとも１つのキャリアは前記複数のキャリア内にある、を備える、請求項１に記載の方法。
【請求項１３】
ユーザ機器（ＵＥ）による使用のために構成される複数のキャリア上でのデータ送信を受信するための手段と、
前記ＵＥにおいて、前記複数のキャリア上での前記データ送信に対する肯定応答／否定応答（ＡＣＫ／ＮＡＣＫ）ビットを決定するための手段と、
前記複数のキャリアに対するＡＣＫ／ＮＡＣＫ情報を送るために、少なくとも１つのＡＣＫ／ＮＡＣＫ送信技術を決定するための手段、前記少なくとも１つのＡＣＫ／ＮＡＣＫ送信技術は、少なくとも、クロスキャリアバンドリング技術と前記クロスキャリアバンドリング技術に関連しない技術を具備する複数のＡＣＫ／ＮＡＣＫ送信技術から選択され、前記クロスキャリアバンドリング技術は、前記ＡＣＫ／ＮＡＣＫビットの総数がＡＣＫ／ＮＡＣＫビットの閾値を超えたときに選択される、と、
前記複数のキャリア上での前記データ送信に対する前記ＡＣＫ／ＮＡＣＫビットの総数にもとづいて、ＡＣＫ／ＮＡＣＫビットをバンドルすべき、前記複数のキャリアの少なくとも２つのキャリアを決定するための手段と、
前記少なくとも２つのキャリア上での前記データ送信に対する前記ＡＣＫ／ＮＡＣＫビットを、キャリアにまたがってバンドルするための手段と、
前記少なくとも２つのキャリア上での前記データ送信に対する少なくとも１つのバンドルされたＡＣＫ／ＮＡＣＫビットを備えるＡＣＫ／ＮＡＣＫ情報を送るための手段と、
を備える、ワイヤレス通信のための装置。
【請求項１４】
ＡＣＫ／ＮＡＣＫビットをバンドルすべき前記少なくとも２つのキャリアを決定するための前記手段は、データ送信が受信されるキャリアの数、前記ＡＣＫ／ＮＡＣＫ情報を送るために利用可能なペイロードビット数、前記複数のキャリアのそれぞれの周波数帯域、前記複数のキャリアのそれぞれに係るデータ送信モード、前記複数のキャリアのそれぞれに係る終了目標、前記複数のキャリアのそれぞれに関連付けられる干渉特性、前記ＵＥのための構成メッセージ、または、これらの任意の組合せに、さらに基づいて、前記少なくとも２つのキャリアを決定するために構成される、請求項１３に記載の装置。
【請求項１５】
前記ＡＣＫ／ＮＡＣＫ情報は、さらに、前記複数のキャリアの中の少なくとも１つの残りのキャリア上での少なくとも１つのデータ送信に対する少なくとも１つのＡＣＫ／ＮＡＣＫビットを、キャリアにまたがった前記少なくとも１つのＡＣＫ／ＮＡＣＫビットのバンドリングなしでえる、請求項１３に記載の装置。
【請求項１６】
ユーザ機器（ＵＥ）による使用のために構成される複数のキャリア上でのデータ送信を受信することと、
前記ＵＥにおいて、前記複数のキャリア上での前記データ送信に対する肯定応答／否定応答（ＡＣＫ／ＮＡＣＫ）ビットを決定することと、
前記複数のキャリアに対するＡＣＫ／ＮＡＣＫ情報を送るために、少なくとも１つのＡＣＫ／ＮＡＣＫ送信技術を決定すること、前記少なくとも１つのＡＣＫ／ＮＡＣＫ送信技術は、少なくとも、クロスキャリアバンドリング技術と前記クロスキャリアバンドリング技術に関連しない技術を具備する複数のＡＣＫ／ＮＡＣＫ送信技術から選択され、前記クロスキャリアバンドリング技術は、前記ＡＣＫ／ＮＡＣＫビットの総数がＡＣＫ／ＮＡＣＫビットの閾値を超えたときに選択される、と、
前記複数のキャリア上での前記データ送信に対する前記ＡＣＫ／ＮＡＣＫビットの総数にもとづいて、ＡＣＫ／ＮＡＣＫビットをバンドルすべき、前記複数のキャリアの少なくとも２つのキャリアを決定することと、
前記少なくとも２つのキャリア上での前記データ送信に対する前記ＡＣＫ／ＮＡＣＫビットを、キャリアにまたがってバンドルすることと、
前記少なくとも２つのキャリア上での前記データ送信に対する少なくとも１つのバンドルされたＡＣＫ／ＮＡＣＫビットを備えるＡＣＫ／ＮＡＣＫ情報を送ることと、
のために構成された少なくとも１つのプロセッサと、
前記少なくとも１つのプロセッサに接続されるメモリと、
を備える、ワイヤレス通信のための装置。
【請求項１７】
前記少なくとも１つのプロセッサは、データ送信が受信されるキャリアの数、前記ＡＣＫ／ＮＡＣＫ情報を送るために利用可能なペイロードビット数、前記複数のキャリアのそれぞれの周波数帯域、前記複数のキャリアのそれぞれに係るデータ送信モード、前記複数のキャリアのそれぞれに係る終了目標、前記複数のキャリアのそれぞれに関連付けられる干渉特性、前記ＵＥのための構成メッセージ、または、これらの任意の組合せに、さらに基づいて、ＡＣＫ／ＮＡＣＫビットをバンドルすべき前記少なくとも２つのキャリアを決定するように構成される、請求項１６に記載の装置。
【請求項１８】
前記ＡＣＫ／ＮＡＣＫ情報は、さらに、前記複数のキャリアの中の少なくとも１つの残りのキャリア上での少なくとも１つのデータ送信に対する少なくとも１つのＡＣＫ／ＮＡＣＫビットを、キャリアにまたがった前記少なくとも１つのＡＣＫ／ＮＡＣＫビットのバンドリングなしに備える、請求項１６に記載の装置。
【請求項１９】
少なくとも１つのコンピュータによって実行可能なプログラムコードをその上に記憶する非一時的コンピュータ可読記憶媒体であって、前記プログラムコードは、
前記少なくとも１つのコンピュータに、ユーザ機器（ＵＥ）による使用のために構成される複数のキャリア上でのデータ送信を受信させるためのコードと、
前記少なくとも１つのコンピュータに、前記ＵＥにおいて、前記複数のキャリア上で前記データ送信に対する肯定応答／否定応答（ＡＣＫ／ＮＡＣＫ）ビットを決定させるためのコードと、
前記少なくとも１つのコンピュータに、前記複数のキャリアに対するＡＣＫ／ＮＡＣＫ情報を送るために、少なくとも１つのＡＣＫ／ＮＡＣＫ送信技術を決定させるためのコード、前記少なくとも１つのＡＣＫ／ＮＡＣＫ送信技術は、少なくとも、クロスキャリアバンドリング技術と前記クロスキャリアバンドリング技術に関連しない技術を具備する複数のＡＣＫ／ＮＡＣＫ送信技術から選択され、前記クロスキャリアバンドリング技術は、前記ＡＣＫ／ＮＡＣＫビットの総数がＡＣＫ／ＮＡＣＫビットの閾値を超えたときに選択される、と、
ＡＣＫ／ＮＡＣＫビットをバンドルすべき、前記複数のキャリアの少なくとも２つのキャリアを決定することと、
前記少なくとも１つのコンピュータに、前記複数のキャリア上での前記データ送信に対する前記ＡＣＫ／ＮＡＣＫビットの総数にもとづいて、ＡＣＫ／ＮＡＣＫビットをバンドルすべき、前記複数のキャリアの少なくとも２つのキャリアを決定させるためのコードと、
前記少なくとも１つのコンピュータに、前記少なくとも２つのキャリア上での前記データ送信に対する前記ＡＣＫ／ＮＡＣＫビットを、キャリアにまたがってバンドルさせるためのコードと、
前記少なくとも１つのコンピュータに、前記少なくとも２つのキャリア上での前記データ送信に対する少なくとも１つのバンドルされたＡＣＫ／ＮＡＣＫビットを備えるＡＣＫ／ＮＡＣＫ情報を送らせるためのコードと、
を備える、非一時的コンピュータ可読記憶媒体。
【請求項２０】
ユーザ機器（ＵＥ）に、前記ＵＥによる使用のために構成される複数のキャリア上でデータ送信を送ることと、
前記複数のキャリアの少なくとも２つのキャリア上でのデータ送信に関連する少なくとも１つのバンドルされた肯定応答／否定応答（ＡＣＫ／ＮＡＣＫ）ビットを備えるＡＣＫ／ＮＡＣＫ情報を、前記ＵＥから受信すること、前記少なくとも２つのキャリアは、前記複数のキャリア上でのデータ送信に対する前記ＡＣＫ／ＮＡＣＫビットの総数にもとづいて選択される、と、
ＡＣＫ／ＮＡＣＫ情報を送るために、前記ＵＥによって用いられる少なくとも１つのＡＣＫ／ＮＡＣＫ送信技術を決定すること、前記少なくとも１つのＡＣＫ／ＮＡＣＫ送信技術は、少なくとも、クロスキャリアバンドリング技術と前記クロスキャリアバンドリング技術に関連しない技術を具備する複数のＡＣＫ／ＮＡＣＫ送信技術から選択され、前記クロスキャリアバンドリング技術は、前記ＡＣＫ／ＮＡＣＫビットの総数がＡＣＫ／ＮＡＣＫビットの閾値を超えたときに選択される、と、
前記少なくとも１つのバンドルされたＡＣＫ／ＮＡＣＫビットに基づいて、前記少なくとも２つのキャリア上での前記データ送信に対するＡＣＫ／ＮＡＣＫビットを得ることと、
を備える、ワイヤレス通信のための方法。
【請求項２１】
前記ＡＣＫ／ＮＡＣＫビットに基づいて、前記少なくとも２つのキャリア上での前記データ送信のそれぞれを終了するか、または継続するかを決定することをさらに備える、請求項２０に記載の方法。
【請求項２２】
ユーザ機器（ＵＥ）に、前記ＵＥよる使用のために構成される複数のキャリア上でデータ送信を送るための手段と、
前記複数のキャリアの中の少なくとも２つのキャリア上でのデータ送信に関連する少なくとも１つのバンドルされた肯定応答／否定応答（ＡＣＫ／ＮＡＣＫ）ビットを備えるＡＣＫ／ＮＡＣＫ情報を、前記ＵＥから受信するための手段、前記少なくとも２つのキャリアは、前記複数のキャリア上でのデータ送信に対する前記ＡＣＫ／ＮＡＣＫビットの総数にもとづいて選択される、と、
ＡＣＫ／ＮＡＣＫ情報を送るために、前記ＵＥによって用いられる少なくとも１つのＡＣＫ／ＮＡＣＫ送信技術を決定するための手段、前記少なくとも１つのＡＣＫ／ＮＡＣＫ送信技術は、少なくとも、クロスキャリアバンドリング技術と前記クロスキャリアバンドリング技術に関連しない技術を具備する複数のＡＣＫ／ＮＡＣＫ送信技術から選択され、前記クロスキャリアバンドリング技術は、前記ＡＣＫ／ＮＡＣＫビットの総数がＡＣＫ／ＮＡＣＫビットの閾値を超えたときに選択される、と、
前記少なくとも１つのバンドルされたＡＣＫ／ＮＡＣＫビットに基づいて、前記少なくとも２つのキャリア上での前記データ送信に対するＡＣＫ／ＮＡＣＫビットを得るための手段と、
を備える、ワイヤレス通信のための装置。
【請求項２３】
前記ＡＣＫ／ＮＡＣＫビットに基づいて、前記少なくとも２つのキャリア上での前記データ送信のそれぞれを終了するか、または継続するかを決定するための手段をさらに備える、請求項２２に記載の装置。
【請求項２４】
ユーザ機器（ＵＥ）による使用のために構成される複数のキャリア上でのデータ送信を受信することと、
前記ＵＥにおいて、前記複数のキャリア上での前記データ送信に対する肯定応答／否定応答（ＡＣＫ／ＮＡＣＫ）ビットを決定することと、
前記複数のキャリアのためのＡＣＫ／ＮＡＣＫ情報を送るために、少なくとも１つのＡＣＫ／ＮＡＣＫ送信技術を決定すること、前記少なくとも１つのＡＣＫ／ＮＡＣＫ送信技術は、マルチキャリア動作において前記ＵＥが利用可能な複数のＡＣＫ／ＮＡＣＫ送信技術から選択され、前記複数のＡＣＫ／ＮＡＣＫ送信技術は、少なくとも、クロスキャリアバンドリング技術と前記クロスキャリアバンドリング技術に関連しない技術を具備し、前記複数のＡＣＫ／ＮＡＣＫ送信技術の各々は、少なくとも、送られる前記ＡＣＫ／ＮＡＣＫ情報のビット数を減らすか、または、前記ＡＣＫ／ＮＡＣＫ情報を送るために用いられるペイロードの数を増やし、前記クロスキャリアバンドリング技術は、前記ＡＣＫ／ＮＡＣＫビットの総数がＡＣＫ／ＮＡＣＫビットの閾値を超えたときに選択される、と、
前記少なくとも１つのＡＣＫ／ＮＡＣＫ送信技術に基づいて、前記データ送信に対する前記ＡＣＫ／ＮＡＣＫビットを送ることと、
を備える、ワイヤレス通信のための方法。
【請求項２５】
前記少なくとも１つのＡＣＫ／ＮＡＣＫ送信技術を決定することは、
前記複数のキャリア上での前記データ送信に対するＡＣＫ／ＮＡＣＫビットの総数が所定の値よりも多い場合、または、データ送信が受信されるキャリアの数が所定の閾値よりも多いとき場合に、直交系列削減技術を選択すること、
を備える、請求項２４に記載の方法。
【請求項２６】
前記少なくとも１つのＡＣＫ／ＮＡＣＫ送信技術を決定することは、
前記複数のキャリア上での前記データ送信に対するＡＣＫ／ＮＡＣＫビットの総数が所定の値よりも多いとき、または、データ送信が受信されるキャリアの数が所定の閾値よりも多いときに、空間バンドリング技術を選択することを備える、請求項２４に記載の方法。
【請求項２７】
前記少なくとも１つのＡＣＫ／ＮＡＣＫ送信技術を決定することは、
前記複数のキャリア上での前記データ送信に対するＡＣＫ／ＮＡＣＫビットの総数が所定の値よりも多いとき、または、データ送信が受信されるキャリアの数が所定の閾値よりも多いときに、チャネル選択技術を選択することを備える、請求項２４に記載の方法。
【請求項２８】
前記少なくとも１つのＡＣＫ／ＮＡＣＫ送信技術は、データ送信が受信されるキャリアの数に基づいて選択される、請求項２４に記載の方法。
【請求項２９】
前記少なくとも１つのＡＣＫ／ＮＡＣＫ送信技術は、前記複数のキャリアのそれぞれに係るデータ送信フォーマットに基づいて選択される、請求項２４に記載の方法。
【請求項３０】
前記少なくとも１つのＡＣＫ／ＮＡＣＫ送信技術は、時分割多重（ＴＤＤ）におけるアップリンクサブフレームに対するダウンリンクサブフレームの比に基づいて選択される、請求項２４に記載の方法。
【請求項３１】
前記少なくとも１つのＡＣＫ／ＮＡＣＫ送信技術は、複数のサポートされるＡＣＫ／ＮＡＣＫ送信技術の優先順位に基づいて選択される、請求項２４に記載の方法。
【請求項３２】
前記少なくとも１つのＡＣＫ／ＮＡＣＫ送信技術は、通常の長さよりも短い長さの直交系列を用いてＡＣＫ／ＮＡＣＫビットを送るための直交系列削減技術を含む、請求項２４に記載の方法。
【請求項３３】
前記少なくとも１つのＡＣＫ／ＮＡＣＫ送信技術は、空間多重を用いてキャリア上で同時に送られる複数のデータ送信に対するＡＣＫ／ＮＡＣＫビットをバンドルするための空間バンドリング技術を含む、請求項２４に記載の方法。
【請求項３４】
前記少なくとも１つのＡＣＫ／ＮＡＣＫ送信技術は、複数のリソースのうちの１つを用いてＡＣＫ／ＮＡＣＫ情報を送るためのチャネル選択技術を含む、請求項２４に記載の方法。
【請求項３５】
前記少なくとも１つのＡＣＫ／ＮＡＣＫ送信技術は、サブフレームにおける複数のキャリア上で送られる複数のパケットに対するＡＣＫ／ＮＡＣＫビットをバンドルするためのキャリアバンドリング技術を含む、請求項２４に記載の方法。
【請求項３６】
前記少なくとも１つのＡＣＫ／ＮＡＣＫ送信技術は、複数のサブフレームにおけるキャリア上で送られる複数のパケットに対するＡＣＫ／ＮＡＣＫビットをバンドルするためのサブフレームバンドリング技術を含む、請求項２４に記載の方法。
【請求項３７】
ユーザ機器（ＵＥ）による使用のために構成される複数のキャリア上でのデータ送信を受信するための手段と、
前記ＵＥにおいて、前記複数のキャリア上での前記データ送信に対する肯定応答／否定応答（ＡＣＫ／ＮＡＣＫ）ビットを決定するための手段と、
ＡＣＫ／ＮＡＣＫ情報を送るための少なくとも１つのＡＣＫ／ＮＡＣＫ送信技術を決定するための手段、前記少なくとも１つのＡＣＫ／ＮＡＣＫ送信技術は、マルチキャリア動作において前記ＵＥに利用可能な複数のＡＣＫ／ＮＡＣＫ送信技術から選択され、前記複数のＡＣＫ／ＮＡＣＫ送信技術は、少なくとも、クロスキャリアバンドリング技術と前記クロスキャリアバンドリング技術に関連しない技術を具備し、前記複数のＡＣＫ／ＮＡＣＫ送信技術の各々は、少なくとも、送られる前記ＡＣＫ／ＮＡＣＫ情報のビット数を減らすか、または、前記ＡＣＫ／ＮＡＣＫ情報を送るために用いられるペイロードの数を増やし、前記クロスキャリアバンドリング技術は、前記ＡＣＫ／ＮＡＣＫビットの総数がＡＣＫ／ＮＡＣＫビットの閾値を超えたときに選択される、と、
前記少なくとも１つのＡＣＫ／ＮＡＣＫ送信技術に基づいて、前記複数のキャリア上での前記データ送信に対する前記ＡＣＫ／ＮＡＣＫビットを送るための手段と、
を備える、ワイヤレス通信のための装置。
【請求項３８】
前記少なくとも１つのＡＣＫ／ＮＡＣＫ送信技術は、データ送信が受信されるキャリアの数、前記複数のキャリア上での前記データ送信に対するＡＣＫ／ＮＡＣＫビットの総数、前記複数のキャリアのそれぞれに係るデータ送信フォーマット、時分割多重（ＴＤＤ）におけるアップリンクサブフレームに対するダウンリンクサブフレームの比、複数のサポートされるＡＣＫ／ＮＡＣＫ送信技術の優先順位、または、これらの任意の組合せに基づいて選択される、請求項３７に記載の装置。
【請求項３９】
前記少なくとも１つのＡＣＫ／ＮＡＣＫ送信技術は、直交系列削減技術、空間バンドリング技術、チャネル選択技術、キャリアバンドリング技術、サブフレームバンドリング技術、または、これらの任意の組合せを含む、請求項３７に記載の装置。
【請求項４０】
ユーザ機器（ＵＥ）による使用のために構成される複数のキャリア上でのデータ送信を受信することと、
前記複数のキャリア上の前記データ送信に対する肯定応答／否定応答（ＡＣＫ／ＮＡＣＫ）ビットを決定することと、
ＡＣＫ／ＮＡＣＫ情報を送るための少なくとも１つのＡＣＫ／ＮＡＣＫ送信技術を決定すること、前記少なくとも１つのＡＣＫ／ＮＡＣＫ送信技術は、マルチキャリア動作において前記ＵＥに利用可能な複数のＡＣＫ／ＮＡＣＫ送信技術から選択され、前記複数のＡＣＫ／ＮＡＣＫ送信技術は、少なくとも、クロスキャリアバンドリング技術と前記クロスキャリアバンドリング技術に関連しない技術を具備し、前記複数のＡＣＫ／ＮＡＣＫ送信技術の各々は、少なくとも、送られる前記ＡＣＫ／ＮＡＣＫ情報のビット数を減らすか、または、前記ＡＣＫ／ＮＡＣＫ情報を送るために用いられるペイロードの数を増やし、前記クロスキャリアバンドリング技術は、前記ＡＣＫ／ＮＡＣＫビットの総数がＡＣＫ／ＮＡＣＫビットの閾値を超えたときに選択される、と、
前記少なくとも１つのＡＣＫ／ＮＡＣＫ送信技術に基づいて、前記複数のキャリア上での前記データ送信に対する前記ＡＣＫ／ＮＡＣＫビットを送ることと、
のために構成される少なくとも１つのプロセッサと、
前記少なくとも１つのプロセッサに接続されるメモリと、
を備える、ワイヤレス通信のための装置。
【請求項４１】
前記少なくとも１つのＡＣＫ／ＮＡＣＫ送信技術は、データ送信が受信されるキャリアの数、前記複数のキャリア上での前記データ送信に対するＡＣＫ／ＮＡＣＫビットの総数、前記複数のキャリアのそれぞれに係るデータ送信フォーマット、時分割多重（ＴＤＤ）におけるアップリンクサブフレームに対するダウンリンクサブフレームの比、複数のサポートされるＡＣＫ／ＮＡＣＫ送信技術の優先順位、または、これらの任意の組合せに基づいて選択される、請求項４０に記載の装置。
【請求項４２】
前記少なくとも１つのＡＣＫ／ＮＡＣＫ送信技術は、直交系列削減技術、空間バンドリング技術、チャネル選択技術、キャリアバンドリング技術、サブフレームバンドリング技術、または、これらの任意の組合せを含む、請求項４０に記載の装置。
【請求項４３】
少なくとも１つのコンピュータによって実行可能なプログラムコードをその上に記憶する非一時的コンピュータ可読記憶媒体であって、前記プログラムコードは、
少なくとも１つのコンピュータに、ユーザ機器（ＵＥ）による使用のために構成される複数のキャリア上でのデータ送信を受信させるためのコードと、
前記少なくとも１つのコンピュータに、前記複数のキャリア上での前記データ送信に対する肯定応答／否定応答（ＡＣＫ／ＮＡＣＫ）ビットを決定させるためのコードと、
前記少なくとも１つのコンピュータに、ＡＣＫ／ＮＡＣＫ情報を送るための少なくとも１つのＡＣＫ／ＮＡＣＫ送信技術を決定させるためのコード、前記少なくとも１つのＡＣＫ／ＮＡＣＫ送信技術は、マルチキャリア動作において前記ＵＥに利用可能な複数のＡＣＫ／ＮＡＣＫ送信技術から選択され、前記複数のＡＣＫ／ＮＡＣＫ送信技術は、少なくとも、クロスキャリアバンドリング技術と前記クロスキャリアバンドリング技術に関連しない技術を具備し、前記複数のＡＣＫ／ＮＡＣＫ送信技術の各々は、少なくとも、送られる前記ＡＣＫ／ＮＡＣＫ情報のビット数を減らすか、または、前記ＡＣＫ／ＮＡＣＫ情報を送るために用いられるペイロードの数を増やし、前記クロスキャリアバンドリング技術は、前記ＡＣＫ／ＮＡＣＫビットの総数がＡＣＫ／ＮＡＣＫビットの閾値を超えたときに選択される、と、
前記少なくとも１つのコンピュータに、前記少なくとも１つのＡＣＫ／ＮＡＣＫ送信技術に基づいて、前記複数のキャリア上での前記データ送信に対する前記ＡＣＫ／ＮＡＣＫビットを送らせるためのコードと、
を備える、非一時的コンピュータ可読記憶媒体。
【請求項４４】
ユーザ機器（ＵＥ）に、前記ＵＥによる使用のために構成される複数のキャリア上で、データ送信を送ることと、
前記複数のキャリア上での前記データ送信に対応するＡＣＫ／ＮＡＣＫ情報を前記ＵＥから受信することと、
前記ＡＣＫ／ＮＡＣＫ情報を送るために前記ＵＥによって使用される少なくとも１つのＡＣＫ／ＮＡＣＫ送信技術を決定すること、前記少なくとも１つのＡＣＫ／ＮＡＣＫ送信技術は、マルチキャリア動作において前記ＵＥに利用可能な複数のＡＣＫ／ＮＡＣＫ送信技術から選択され、前記複数のＡＣＫ／ＮＡＣＫ送信技術は、少なくとも、クロスキャリアバンドリング技術と前記クロスキャリアバンドリング技術に関連しない技術を具備し、前記複数のＡＣＫ／ＮＡＣＫ送信技術の各々は、少なくとも、送られる前記ＡＣＫ／ＮＡＣＫ情報のビット数を減らすか、または、前記ＡＣＫ／ＮＡＣＫ情報を送るために用いられるペイロードの数を増やし、前記クロスキャリアバンドリング技術は、前記ＡＣＫ／ＮＡＣＫビットの総数がＡＣＫ／ＮＡＣＫビットの閾値を超えたときに選択される、と、
前記ＡＣＫ／ＮＡＣＫ情報と前記少なくとも１つのＡＣＫ／ＮＡＣＫ送信技術とに基づいて、前記複数のキャリア上での前記データ送信に対するＡＣＫ／ＮＡＣＫビットを復元することと、を備える、ワイヤレス通信のための方法。
【請求項４５】
前記ＡＣＫ／ＮＡＣＫビットに基づいて、前記複数のキャリア上での前記データ送信のそれぞれを終了するか、または継続するかを決定すること、
をさらに備える、請求項４４に記載の方法。
【請求項４６】
ユーザ機器（ＵＥ）に、前記ＵＥによる使用のために構成される複数のキャリア上でデータ送信を送るための手段と、
前記複数のキャリア上での前記データ送信に対応するＡＣＫ／ＮＡＣＫ情報を、前記ＵＥから受信するための手段と、
前記ＡＣＫ／ＮＡＣＫ情報を送るために前記ＵＥによって使用される少なくとも１つのＡＣＫ／ＮＡＣＫ送信技術を決定するための手段、前記少なくとも１つのＡＣＫ／ＮＡＣＫ送信技術は、マルチキャリア動作において前記ＵＥに利用可能な複数のＡＣＫ／ＮＡＣＫ送信技術から選択され、前記複数のＡＣＫ／ＮＡＣＫ送信技術は、少なくとも、クロスキャリアバンドリング技術と前記クロスキャリアバンドリング技術に関連しない技術を具備し、前記複数のＡＣＫ／ＮＡＣＫ送信技術の各々は、少なくとも、送られる前記ＡＣＫ／ＮＡＣＫ情報のビット数を減らすか、または、前記ＡＣＫ／ＮＡＣＫ情報を送るために用いられるペイロードの数を増やし、前記クロスキャリアバンドリング技術は、前記ＡＣＫ／ＮＡＣＫビットの総数がＡＣＫ／ＮＡＣＫビットの閾値を超えたときに選択される、と、
前記ＡＣＫ／ＮＡＣＫ情報と前記少なくとも１つのＡＣＫ／ＮＡＣＫ送信技術とに基づいて、前記複数のキャリア上での前記データ送信に対するＡＣＫ／ＮＡＣＫビットを復元するための手段と、
を備える、ワイヤレス通信のための装置。
【請求項４７】
前記ＡＣＫ／ＮＡＣＫビットに基づいて、前記複数のキャリア上での前記データ送信のそれぞれを終了するか、または継続するかを決定するための手段をさらに備える、請求項４６に記載の装置。
【発明の詳細な説明】
【優先権の主張】
【０００１】
本出願は、本出願の譲受人に譲渡され、参照により本明細書に組み込まれる、２０１０年４月５日に出願された「ＨＡＲＱ  ＡＣＫ／ＮＡＣＫ  ＴＲＡＮＳＭＩＳＳＩＯＮ  ＯＮ  ＰＵＣＣＨ  ＦＯＲ  ＬＴＥ−Ａ  ＭＵＬＴＩ−ＣＡＲＲＩＥＲ  ＯＰＥＲＡＴＩＯＮ」と題された米国仮出願第６１／３２１，０６７号に優先権を主張する。
【技術分野】
【０００２】
本開示は、一般的には、通信に関し、より具体的には、ワイヤレス通信ネットワークにおけるデータ送信に係る、肯定応答／否定応答（ＡＣＫ／ＮＡＣＫ）のフィードバックを送るための技術に関する。
【背景技術】
【０００３】
ワイヤレス通信ネットワークが、音声、ビデオ、パケットデータ、メッセージング、放送などのさまざまな通信コンテンツを提供するために広く設けられている。これらのワイヤレスネットワークは、利用可能なネットワークリソースを共有することによって複数のユーザをサポートすることができる多元接続ネットワークであってよい。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
ワイヤレス通信ネットワークは、いくつかのユーザ機器（ＵＥ）に関する通信をサポートすることができるいくつかの基地局を含み得る。ＵＥは、ダウンリンクとアップリンクとを介して基地局と通信することができる。ダウンリンク（または順方向リンク）は基地局からＵＥへの通信リンクを指し、アップリンク（または逆方向リンク）はＵＥから基地局への通信リンクを指す。
【０００５】
ワイヤレス通信ネットワークは、複数のキャリア上の動作をサポートし得る。キャリアは、通信のために使用される周波数の範囲をいうこともあり、ある特性に関連付けられ得る。例えば、キャリアは、該キャリア上の動作を記述するシステム情報に関連付けられ得る。また、キャリアは、コンポーネントキャリア（ＣＣ）、周波数チャネル、セルなどとも呼ばれ得る。基地局は、ダウンリンクの複数のキャリア上で、データ送信を、ＵＥに送ることができる。ＵＥは、データ送信を受信し、復号し、各データ送信が正しく復号されるか、または誤って復号されるかを判定し、ダウンリンクで受信されたデータ送信に関してアップリンクでＡＣＫ／ＮＡＣＫ情報を送ることができる。
【発明の概要】
【０００６】
マルチキャリアワイヤレス通信ネットワークにおいてＡＣＫ／ＮＡＣＫ情報を送るための技術が、開示される。一態様において、複数のＡＣＫ／ＮＡＣＫ送信技術が、送るべきＡＣＫ／ＮＡＣＫ情報のビット数をさまざまに削減し、および／または、ＡＣＫ／ＮＡＣＫ情報を送るために利用可能なペイロードビット数を増やすために、マルチキャリアＵＥによって利用され得る。ＡＣＫ／ＮＡＣＫ送信技術は、直交系列削減（orthogonal sequence reduction）技術、チャネル選択技術、空間バンドリング（spatial bundling）技術、キャリアバンドリング（carrier bundling）技術、サブフレームバンドリング（subframe bundling）技術などを含み得る。ＡＣＫ／ＮＡＣＫ送信技術は、データ送信が受信されるキャリアの数と、ＡＣＫ／ＮＡＣＫ情報を搬送するために利用可能なペイロードサイズと、その他の要因とに基づいて優先順位を決められ得る。マルチキャリアＵＥは、そのＵＥの構成されたキャリアの異なるサブセットに関連して、異なるＡＣＫ／ＮＡＣＫ送信技術を利用することができる。
【０００７】
１つの設計例において、ＵＥは、そのＵＥが一組のキャリア上でのマルチキャリア動作のために構成されていることを決定し得る。ＵＥは、一組のキャリアの中の複数のキャリア上のデータ送信を受信することができる。ＵＥは、複数のキャリア上のデータ送信に関するＡＣＫ／ＮＡＣＫビットを決定することができる。ＵＥは、ＡＣＫ／ＮＡＣＫ情報を送るために使用する、少なくとも１つのＡＣＫ／ＮＡＣＫ送信技術を決定し得る。この少なくとも１つのＡＣＫ／ＮＡＣＫ送信技術は、複数のサポートされるＡＣＫ／ＮＡＣＫ送信技術の中から選択され得る。ＵＥは、少なくとも１つのＡＣＫ／ＮＡＣＫ送信技術に基づいて複数のキャリア上のデータ送信に関するＡＣＫ／ＮＡＣＫビットを送ることができる。
【０００８】
使用するために選択される少なくとも１つのＡＣＫ／ＮＡＣＫ送信技術は、以下、すなわち、（ｉ）通常の長さ（nominal length）よりも短い長さの直交系列を用いてＡＣＫ／ＮＡＣＫビットを送るための直交系列削減技術、
（ｉｉ）複数のリソースのうちの１つを用いてＡＣＫ／ＮＡＣＫ情報を送るためのチャネル選択技術、
（ｉｉｉ）空間多重化を用いてキャリア上で同時に送られたパケットぼためのＡＣＫ／ＮＡＣＫビットをバンドルするための。空間バンドリング技術、
（ｉｖ）サブフレームにおいて複数のキャリア上で送られたパケットのためのＡＣＫ／ＮＡＣＫビットをバンドルするためのキャリアバンドリング技術、
（ｖ）複数のサブフレームにおいてキャリア上で送られるパケットのためのＡＣＫ／ＮＡＣＫビットをバンドルするためのサブフレームバンドリング技術、および／または
（ｖｉ）その他のＡＣＫ／ＮＡＣＫ送信技術、
のうちの１つまたはそれより多くを含み得る。
【０００９】
少なくとも１つのＡＣＫ／ＮＡＣＫ送信技術は、以下を含み得る１またはそれより多くの基準：
（ｉ）データ送信が受信されるキャリアの数、
（ｉｉ）複数のキャリア上のデータ送信のためのＡＣＫ／ＮＡＣＫビットの総数、
（ｉｉｉ）複数のキャリアのそれぞれのためのデータ送信フォーマット（例えば、空間多重化、もしくは空間多重化なし）、
（ｉｖ）アップリンクサブフレームに対するダウンリンクサブフレームの比、
（ｖ）複数のサポートされるＡＣＫ／ＮＡＣＫ送信技術の優先順位、および／または
（ｖｉ）その他の基準、
に基づいて選択され得る。
【００１０】
別の態様において、キャリアバンドリングが、データ送信を送るために使用されるすべてのダウンリンクキャリアのサブセットに対して実行され得る。１つの設計例において、ＵＥは、そのＵＥが一組のキャリア上のマルチキャリア動作のために構成されていることを決定することができる。ＵＥは、一組のキャリアの中のそれより多くのキャリア上でデータ送信を受信することができる。ＵＥは、複数のキャリア上でデータ送信に係るＡＣＫ／ＮＡＣＫビットを決定することができる。ＵＥは、それらのためにＡＣＫ／ＮＡＣＫビットをバンドルするために、少なくとも２つのキャリアを決定することもできる。少なくとも２つのキャリアは、複数のキャリアのサブセットであり得る。ＵＥは、少なくとも２つのキャリア上でのデータ送信のために、キャリアにまたがって、ＡＣＫ／ＮＡＣＫビットをバンドルしてもよい。ＵＥは、少なくとも２つのキャリア上でのデータ送信のための少なくとも１つのバンドルされたＡＣＫ／ＮＡＣＫビットを備えるＡＣＫ／ＮＡＣＫ情報を送ることができる。
【００１１】
本開示のさまざまな態様と特徴とが、以下でさらに詳細に説明される。
【図面の簡単な説明】
【００１２】
【図１】図１は、ワイヤレス通信ネットワークを示す。
【図２】図２および図３は、周波数分割多重（ＦＤＤ）と時分割多重（ＴＤＤ）における複数のダウンリンクキャリア上のデータの送信を示す。
【図３】図２および図３は、周波数分割多重（ＦＤＤ）と時分割多重（ＴＤＤ）における複数のダウンリンクキャリア上のデータの送信を示す。
【図４】図４は、アップリンクのための例示的な送信構造を示す。
【図５】図５は、ＡＣＫ／ＮＡＣＫ情報の例示的な送信を示す。
【図６】図６および図７は、キャリアのサブセット所でのキャリアバンドリングを用いてＡＣＫ／ＮＡＣＫ情報を、それぞれ、送り、受信するためのプロセスを示す。
【図７】図６および図７は、キャリアのサブセット所でのキャリアバンドリングを用いてＡＣＫ／ＮＡＣＫ情報を、それぞれ、送り、受信するためのプロセスを示す。
【図８】図８および図９は、異なるＡＣＫ／ＮＡＣＫ送信技術を用いて、ＡＣＫ／ＮＡＣＫ情報を、それぞれ、送り、受信するプロセスを示す。
【図９】図８および図９は、異なるＡＣＫ／ＮＡＣＫ送信技術を用いて、ＡＣＫ／ＮＡＣＫ情報を、それぞれ、送り、受信するプロセスを示す。
【図１０】図１０および図１１は、いくつかのＡＣＫ／ＮＡＣＫ送信モードのうちの１つを用いて、ＡＣＫ／ＮＡＣＫ情報を、それぞれ、送り、受信するためのプロセスを示す。
【図１１】図１０および図１１は、いくつかのＡＣＫ／ＮＡＣＫ送信モードのうちの１つを用いて、ＡＣＫ／ＮＡＣＫ情報を、それぞれ、送り、受信するためのプロセスを示す。
【図１２】図１２は、基地局とＵＥとのブロック図を示す。
【図１３】図１３は、基地局とＵＥとの他のブロック図を示す。
【詳細な説明】
【００１３】
この中に記載される技術は、ＣＤＭＡ、ＴＤＭＡ、ＦＤＭＡ、ＯＦＤＭＡ、ＳＣ−ＦＤＭＡ、およびその他のネットワークなどのさまざまなワイヤレス通信ネットワークに対して使用され得る。用語「ネットワーク」と「システム」とは、交換可能なように使用されることが多い。ＣＤＭＡネットワークは、ユニバーサル地上無線アクセス（ＵＴＲＡ：Universal Terrestrial Radio Access）、ｃｄｍａ２０００などの無線テクノロジーを実装することができる。ＵＴＲＡは、広帯域ＣＤＭＡ（ＷＣＤＭＡ）と、ＣＤＭＡのその他の変化形とを含む。ｃｄｍａ２０００は、ＩＳ−２０００規格と、ＩＳ−９５規格と、ＩＳ−８５６規格とをカバーする。ＴＤＭＡネットワークは、モバイル通信用グローバルシステム（ＧＳＭ（登録商標）：Global System for Mobile Communications）などの無線テクノロジーを実装することができる。ＯＦＤＭＡネットワークは、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線テクノロジーを実装することができる。ＵＴＲＡおよびＥ−ＵＴＲＡは、ユニバーサル移動体通信システム（ＵＭＴＳ：Universal Mobile Telecommunication System）の一部である。３ＧＰＰロングタームエボリューション（ＬＴＥ）およびＬＴＥ−アドバンスト（ＬＴＥ−Ａ）は、ダウンリンクにＯＦＤＭＡを使用し、アップリンクにＳＣ−ＦＤＭＡを採用するＥ−ＵＴＲＡを使用するＵＭＴＳの新しいリリースである。ＵＴＲＡと、Ｅ−ＵＴＲＡと、ＵＭＴＳと、ＬＴＥと、ＬＴＥ−Ａとは、「第３世代パートナーシッププロジェクト」（３ＧＰＰ）と名付けられた組織からの文書に記載されている。ｃｄｍａ２０００とＵＭＢとは、「第３世代パートナーシッププロジェクト２」（３ＧＰＰ２）と名付けられた組織からの文書に記載されている。本明細書に記載の技術は、上述のワイヤレスネットワークと無線テクノロジーと、ならびにその他のワイヤレスネットワークと無線テクノロジーとに対して使用され得る。明確にするために、これらの技術の特定の態様がＬＴＥに関して以下で説明され、ＬＴＥの用語が以下の説明の多くの部分において使用される。
【００１４】
図１は、ＬＴＥネットワークまたは何らかのその他のワイヤレスネットワークである得るワイヤレス通信ネットワーク１００を示す。ワイヤレスネットワーク１００は、いくつかの進化型ＮｏｄｅＢ（ｅＮＢ：evolved Node B）１１０とその他のネットワークエンティティとを含み得る。ｅＮＢは、ＵＥと通信するエンティティであってよく、基地局、ＮｏｄｅＢ、アクセスポイントなどとも呼ばれ得る。各ｅＮＢ１１０は、特定の地理的領域に通信カバー範囲を提供することができ、カバー領域内に位置するＵＥのための通信をサポートすることができる。ネットワーク容量を改善するために、ｅＮＢのカバー領域全体は、それより多くの（例えば、３つの）より小さな領域に分割され得る。それぞれのより小さな領域は、それぞれのｅＮＢのサブシステムによってサービスを提供され得る。３ＧＰＰにおいては、用語「セル」は、ｅＮＢのカバー領域、および／またはこのカバー領域にサービスを提供するｅＮＢのサブシステムを指すことができる。一般化すると、ｅＮＢは、１つまたはそれより多くの（例えば、３つの）セルをサポートすることができる。用語「セル」は、ｅＮＢが動作するキャリアを指すこともある。
【００１５】
ＵＥはワイヤレスネットワーク全体に分散される可能性があり、各ＵＥは固定的であるか、または移動可能であり得る。ＵＥは、移動局、端末、アクセス端末、加入者ユニット、局などとも呼ばれ得る。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局（wireless local loop (WLL) station）、スマートフォン、ネットブック、スマートブック、タブレットなどであってよい。
【００１６】
ワイヤレスネットワーク１００は、ダウンリンク複数のキャリアを用い、アップリンクに１つまたはそれより多くのキャリアを用いるマルチキャリア動作をサポートすることができる。ダウンリンクのために使用されるキャリアは、ダウンリンク（ＤＬ）キャリアと呼ばれ、アップリンクのために使用されるキャリアは、アップリンク（ＵＬ）キャリアと呼ばれ得る。ｅＮＢは、１つまたはそれより多くのダウンリンクキャリア上でＵＥにデータを送信することができる。ＵＥは、１つまたはそれより多くのアップリンクキャリア上でｅＮＴにフィードバック情報を送ることができる。
【００１７】
ワイヤレスネットワーク１００は、周波数分割多重（ＦＤＤ）または時分割多重（ＴＤＤ）を利用することができる。ＦＤＤに関して、ダウンリンクとアップリンクとは、別のキャリア（または周波数チャネル）に割り当てられ得る。ダウンリンク送信は、１つまたはそれより多くのダウンリンクキャリア上で送られることができ、アップリンク送信は、１つまたはそれより多くのアップリンクキャリア上で送られることができる。ＴＤＤに関して、ダウンリンクおよびアップリンクは、同じ１つまたはそれより多くのキャリアを共有することができ、各キャリアが、ダウンリンクとアップリンクの両方のために使用され得る。ダウンリンク送信とアップリンク送信とは、ＴＤＤにおいては、異なる時間の間に同じキャリア上で送られ得る。
【００１８】
ワイヤレスネットワーク１００は、信頼性を向上するためにハイブリッド自動再送（ＨＡＲＱ）を用いたデータの送信をサポートすることができる。ＨＡＲＱに関して、送信器は、データのパケットの最初の送信を送ることができ、パケットが受信器によって正しく復号されるか、またはパケットの送信の最大回数が行われるか、または何らかのその他の終了条件が満たされるまで、必要に応じて、パケットの１またはそれより多くの回数の追加的な送信を送ることができる。パケットの各送信の後、受信器は、パケットのすべての受信された送信を復号して、パケットを復元するように試み得る。受信器は、パケットが正しく復号される場合のＡＣＫ、またはパケットが誤って復号される場合のＮＡＣＫを送り得る。送信器は、ＮＡＣＫが受信される場合、該パケットの別の送信を送ることができ、ＡＣＫが受信される場合、該パケットの送信を終了することができる。送信器は、パケットの目標の回数の送信の後にパケットが高い確率で正しく復号されることができるように選択され得る、変調と符号の形式（modulation and coding scheme （ＭＣＳ））に基づいてパケットを処理（例えば、符号化、変調）し得る。この送信の目標回数は、終了目標（target termination）と呼ばれる。また、パケットは、トランスポートブロック、コードワード（codeword）、データブロックなどと呼ばれてもよい。データ送信は、１つまたはそれより多くのパケットの送信を指してもよい。
【００１９】
図２は、ＨＡＲＱを用いてＦＤＤで複数のダウンリンクキャリア上でデータを送信するための方式を示す。ダウンリンクとアップリンクのそれぞれに関する送信のタイムラインが、サブフレームの単位に分割され得る。各サブフレームは、所定の継続時間、例えば、１ミリ秒（ｍｓ）を有し得る。
【００２０】
ＵＥは、ｅＮＢに係る異なるダウンリンクキャリアのダウンリンクチャネル品質を、都度、推定することができ、チャネル品質インジケータ（ＣＱＩ）情報をｅＮＢ（図２には示されない）に送ることができる。ｅＮＢは、ＣＱＩ情報および／またはその他の情報を用いて、ダウンリンク上のデータの送信のためのＵＥを選択し、１つまたはそれより多くの選択されたダウンリンクキャリアにＵＥをスケジューリングし、選択されたダウンリンクキャリアの各々について、ＵＥのための１つまたはそれより多くのＭＣＳを選択し得る。ｅＮＢは、該ダウンリンクキャリアについて選択された１つまたはそれより多くのＭＣＳに基づいて、選択されたダウンリンクキャリアの各々のための１つまたはそれより多くのパケットを処理（例えば、符号化、変調）し得る。次いで、ｅＮＢは、それぞれの選択されたダウンリンクキャリア上で１つまたはそれより多くのパケットのデータ送信を送ることができる。
【００２１】
ＵＥは、それぞれの選択されたダウンリンクキャリア上の１つまたはそれより多くのパケットのデータ送信を受信し、復号することができる。ＵＥは、それぞれの選択されたダウンリンクキャリア上の各パケットが正しく復号されるか、または誤って復号されるかを決定し得る。ＵＥは、各パケットについてのＡＣＫ／ＮＡＣＫビットを得ることができ、ＡＣＫ／ＮＡＣＫビットは、
（ｉ）パケットが正しく復号される場合のＡＣＫを示すための第１の値（例えば、「１」）に、または
（ｉｉ）パケットが誤って復号される場合のＮＡＣＫを示すための第２の値（例えば、「０」）に、設定され得る。ＵＥは、すべてのパケットについてのＡＣＫ／ＮＡＣＫビットを備えるＡＣＫ／ＮＡＣＫ情報を送ることができる。ＡＣＫ／ＮＡＣＫ情報は、ＡＣＫ／ＮＡＣＫフィードバック、ＨＡＲＱフィードバックなどと呼ばれてもよい。ｅＮＢは、ＵＥからのＡＣＫ／ＮＡＣＫ情報を受信し、ＡＣＫが受信される各パケットの送信を終了し、ＮＡＣＫが受信される各パケットについて、別のデータ送信を送ることができる。
【００２２】
図２に示されるように、ＵＥは、各サブフレームにおいて、任意の数のダウンリンクキャリア上でデータ送信を受けることができる。さらに、ＵＥは、使用するために選択されたそれぞれのダウンリンクキャリア上で、１つまたはそれより多くのパケットのデータ送信を受信し得る。１つの設計例において、ＵＥは、図２に示されるように、１つのアップリンクキャリア上の１つのＡＣＫ／ＮＡＣＫ送信において、所与のサブフレームで、すべてのダウンリンクキャリア上で受信されたすべてのパケットに係るＡＣＫ／ＮＡＣＫ情報を送ってもよい。
【００２３】
図３は、ＨＡＲＱを用いてＴＤＤで複数のダウンリンクキャリア上でデータを送信するための方式を示す。ＴＤＤに関して、各無線フレーム内のサブフレームの一部が、ダウンリンクのために使用されることができ、ダウンリンクサブフレームと呼ばれ得る。各無線フレーム内の残りのサブフレームは、アップリンクのために使用されることができ、アップリンクサブフレームと呼ばれる。簡単にするために、図３は、後にＱ個の連続するアップリンクサブフレームが続くＰ個の連続するダウンリンクサブフレームを示し、ここで、ＬＴＥのＴＤＤに関しては、Ｐ≧１、Ｑ≧１、およびＰ＋Ｑ＝１０である。一般化すると、ダウンリンクサブフレームは、連続的であっても、連続的でなくてもよく、アップリンクサブフレームと混在しても、しなくてもよい。
【００２４】
ＵＥは、ｅＮＢに関する異なるダウンリンクキャリアのダウンリンクチャネル品質を周期的に推定することができ、ＣＱＩ情報をｅＮＢ（図３には示されない）に送ることができる。ｅＮＢは、ＣＱＩ情報および／またはその他の情報を用いて、ダウンリンク上でのデータの送信のためのＵＥを選択し、１つまたはそれより多くの選択されたダウンリンクキャリア上および選択された各ダウンリンクキャリア上の１またはそれより多くのダウンリンクサブフレームの中に、該ＵＥをスケジューリングし、それぞれの選択されたダウンリンクキャリアについて、ＵＥのための１つまたはそれより多くのＭＣＳを選択する。ＵＥがスケジューリングされる各ダウンリンクサブフレームにおいて、ｅＮＢは、ダウンリンクキャリアに対して選択された１つまたはそれより多くのＭＣＳに基づいて、それぞれの選択されたダウンリンクキャリアのための１つまたはそれより多くのパケットを処理（例えば、符号化、変調）し得る。次いで、ｅＮＢは、それぞれの選択されたダウンリンクキャリア上で、ＵＥに、１つまたはそれより多くのパケットのデータ送信を送る。
【００２５】
ＵＥは、ＵＥがスケジューリングされるそれぞれのダウンリンクサブフレームにおいて、選択されたダウンリンクキャリア各々の上で、１つまたはそれより多くのパケットのデータ送信を受信し、復号することができる。ＵＥは、それぞれの選択されたダウンリンクキャリア上の各パケットが正しく復号されるか、または誤って復号されるかを決定し、各パケットに関するＡＣＫ／ＮＡＣＫビットを得る。ＵＥは、すべてのダウンリンクサブフレームにおけるすべてのダウンリンクキャリア上で受信されたすべてのパケットについてのＡＣＫ／ＮＡＣＫビットを備えるＡＣＫ／ＮＡＣＫ情報を送ってもよい。ｅＮＢは、ＵＥからＡＣＫ／ＮＡＣＫ情報を受信することができ、ＮＡＣＫが受信される各パケットについて他のデータ送信を送ることができる。
【００２６】
図３に示されるように、ＵＥは、各ダウンリンクサブフレームにおける任意の数のダウンリンクキャリア上のデータ送信を受信することができる。さらに、ＵＥは、ＵＥがスケジューリングされる各ダウンリンクサブフレームにおけるそ各ダウンリンクキャリア上で１つまたはそれより多くのパケットのデータ送信を受信することができる。１つの設計例において、ＵＥは、図３に示されるように、特定の時間間隔（例えば、無線フレーム）ですべてのダウンリンクサブフレームにおけるすべてのダウンリンクキャリア上で受信されたすべてのパケットについてのＡＣＫ／ＮＡＣＫ情報を、１つのアップリンクサブフレームにおける１つのアップリンクキャリア上の１つのＡＣＫ／ＮＡＣＫ送信において送ることができる。
【００２７】
ＬＴＥネットワークは、ダウンリンクに直交周波数分割多重化（ＯＦＤＭ）を利用し、アップリンクにシングルキャリア周波数分割多重化（ＳＣ−ＦＤＭ）を利用する。ＯＦＤＭとＳＣ−ＦＤＭとは、キャリアに関する周波数範囲を複数の（ＮFFT個の）直交するサブキャリアに分割し、それらのサブキャリアは、通常、トーン、ビンなどとも呼ばれる。各サブキャリアは、データを用いて変調されることができる。一般化すると、変調シンボルは、ＯＦＤＭの場合は周波数領域において、ＳＣ−ＦＤＭの場合は時間領域において送られる。隣接するサブキャリア間の間隔は、固定であってもよく、サブキャリアの総数（ＮFFT）は、キャリア帯域幅に依存する。例えば、ＮFFTは、それぞれ、１．２５、２．５、５、１０、または２０ＭＨｚのキャリア帯域幅に対して、１２８、２５６、５１２、１０２４、または２０４８に等しい。
【００２８】
各サブフレームは、２つのスロットに分割され得る。各スロットは、拡張された巡回プレフィックス（extended cyclic prefix）に対して６シンボル期間、または通常の巡回プレフィックス（normal cyclic prefix）に対して７シンボル期間を含み得る。各キャリアについて利用可能な時間−周波数リソースは、リソースブロックに分割され得る。各リソースブロックは、１スロットにいて、１２サブキャリアをカバーし得る。各スロットにおけるリソースブロックの数は、キャリア帯域幅に依存し、６から１１０の範囲であり得る。
【００２９】
図４は、ＬＴＥにおけるアップリンクに関する例示的な送信構造を示す。アップリンク上で、１つのアップリンクキャリアに関する利用可能なリソースブロックが、データセクションと制御セクションとに分割され得る。制御セクションは、（図４に示されるように）キャリア帯域幅の両端において形成され得、構成可能なサイズを有する。データセクションは、制御セクションに含まれないすべてのリソースブロックを含み得る。ＵＥは、物理アップリンク制御チャネル（ＰＵＣＣＨ）で制御情報を送るために、１つのサブフレームの２つのスロットにおける制御領域の２つのリソースブロック４１０ａと４１０ｂと（または場合によっては３つ以上のリソースブロック）を割り当てられ得る。２つのリソースブロックは、図４に示されるように、周波数ホッピングが可動とであるとき、サブキャリアの異なる組を占め得る。ＵＥは、物理アップリンク共有チャネル（ＰＵＳＣＨ）上で、データのみ、またはデータと制御情報の両方を送るために、１つのサブフレームの２つのスロットにおけるデータ領域において２つのリソースブロック４２０ａと４２０ｂと（または場合によっては３つ以上のリソースブロック）を割り当てられ得る。
【００３０】
図５は、各スロットが７つのシンボル期間を含む場合に関する、ＬＴＥリリース８におけるＰＵＣＣＨ上でＡＣＫ／ＮＡＣＫ情報を送るための方式を示す。ＰＵＣＣＨは、１つのサブフレームの２つのスロットにおける２つのリソースブロック５１０ａと５１０ｂとで送られ得る。各リソースブロック５１０は、ＡＣＫ／ＮＡＣＫ情報に関する４つのシンボル期間と基準信号に関する３つのシンボル期間とを含む。左スロットにおいて、ＡＣＫ／ＮＡＣＫ情報は、シンボル期間０と、１と、５と、６とで送られることができ、基準信号は、シンボル期間２と、３と、４とで送られることができる。右スロットにおいて、ＡＣＫ／ＮＡＣＫ情報は、シンボル期間７と、８と、１２と、１３とで送られることができ、基準信号は、シンボル期間９と、１０と、１１とで送られることができる。ＡＣＫ／ＮＡＣＫ情報と基準信号とは、また、一対のリソースブロック上で、他の方法で送られ得る。
【００３１】
ＵＥは、以下のようにＡＣＫ／ＮＡＣＫ情報を処理し得る。ＵＥは、ＡＣＫ／ＮＡＣＫ情報の１または２ビットを、ＢＰＳＫまたはＱＰＳＫに基づく変調シンボルｄ（０）にマッピングし得る。次いで、ＵＥは、以下のようにして、基準信号系列を変調シンボルを用いて変調し、拡散し得る。
【数１】
0005529337.tif 000002
【００３２】
ここで、
ｒ（ｋ）は、基準信号系列であり、
ｗ（ｎ）は、ＡＣＫ／ＮＡＣＫ情報を拡散するために使用される直交系列であり、
ａn（ｋ）は、ＡＣＫ／ＮＡＣＫ情報のためのｎ番目のデータ系列であり、
Ｋは、１つのリソースブロックにおけるサブキャリアの数であり、
Ｎは、直交系列の長さである。
【００３３】
式（１）に示されるように、基準信号系列ｒ（ｋ）は、変調された系列ｄ（０）・ｒ（ｋ）を得るために変調シンボルｄ（０）を用いて変調され得る。次いで、変調された系列が、Ｎ個のデータ系列を得るために直交系列ｗ（ｎ）を用いて拡散されることができ、ここで、図５においてはＮ＝４である。Ｎ個のデータ系列が、例えば、図５に示されるように、２つのリソースブロック５１０ａと５１０ｂとのそれぞれのＮシンボル期間で送られ得る。
【００３４】
いくつかの基準信号系列が、基本系列の異なる巡回シフトに基づいて定義され得る。基本系列は、Ｚａｄｏｆｆ−Ｃｈｕ系列、コンピュータで生成される系列などであってよい。最大Ｋ個の異なる基準信号系列が、長さＫの基本系列の最大Ｋ回の異なる巡回シフトによって得られる。
【００３５】
通常の巡回プレフィックスに関して、図５に示されるように、各スロットは、７シンボル期間を含み、各スロットの４シンボル期間が、ＡＣＫ／ＮＡＣＫ情報を送るために使用され得る。この場合、長さ４の直交系列が、時間領域におけるシンボル期間にまたがってＡＣＫ／ＮＡＣＫ情報を拡散するために使用され得る。拡張された巡回プレフィックスに関して、各スロットは、６シンボル期間を含み、各スロットの３シンボル期間が、ＡＣＫ／ＮＡＣＫ情報を送るために使用され得る。この場合、長さ３の直交系列が、時間をまたがって拡散するために使用され得る。
【００３６】
図５に示される方式は、ＡＣＫ／ＮＡＣＫ情報の制限された数のビット（例えば、最大２ビット）を送るために使用され得る。したがって、図５に示される方式は、２つのパケットが１つのダウンリンクキャリア上で送られるシングルキャリア動作のために使用され得る。
【００３７】
一般化すると、ＵＥは、マルチキャリア動作のために、任意の数のダウンリンクキャリアと任意の数のアップリンクキャリアを用いて構成され得る。１つの設計例において、ダウンリンクとアップリンクとのそれぞれに関して、１つのキャリアが、主キャリアとして指定されることができ、残りのキャリア（もしあれば）が、副キャリアとして指定されることができる。各リンクに関する主キャリアは、上位レイヤ（例えば、レイヤ３）シグナリングによって、ほぼ変化しない（semi-statically）ように構成されるか、またはその他の方法で決定されることができる。各リンクに関する主キャリアは、そのリンクに関する特定の制御情報／シグナリングを送るために使用され得る。例えば、ＵＥは、アップリンクのための主キャリア（または主アップリンクキャリア）上のＰＵＣＣＨでＡＣＫ／ＮＡＣＫ情報を送ることができる。ＵＥは、主アップリンクキャリア上のＰＵＣＣＨでＣＱＩ情報、スケジューリング要求、および／またはその他の要求を送ることもできる。
【００３８】
マルチキャリア動作を用いると、ＵＥは、２ビットのＡＣＫ／ＮＡＣＫ情報よりも多くを送る必要があり得る。一例として、ＦＤＤのマルチキャリア動作を用いると、複数のダウンリンクキャリアが、単一のアップリンクキャリアにマッピングされる得、１つまたは複数のパケットが、各ダウンリンクキャリア上で送信され、複数のダウンリンクキャリア上で送信されたすべてのパケットのためのＡＣＫ／ＮＡＣＫ情報が、１つのアップリンクキャリア（例えば、主アップリンクキャリア）上のＰＵＣＣＨ上で送られ得る。１つのシナリオでは、最大５つのダウンリンクキャリアが、単一のアップリンクキャリアにマッピングされ、最大２つのパケットが、各ダウンリンクキャリア上で送信され得る。この場合、最大１０個のＡＣＫ／ＮＡＣＫビットが、最大１０個のパケットのために得られ、１つのアップリンクキャリア上のＰＵＣＣＨ上で送られる必要があり得る。
【００３９】
ＴＤＤのマルチキャリア動作に関しては、複数のダウンリンクキャリアが、単一のアップリンクキャリアにマッピングされ得、複数のダウンリンクサブフレームが、単一のアップリンクサブフレームに関連付けられ、最大２つのパケットが、各ダウンリンクサブフレームにおける各ダウンリンクキャリア上で送信され、複数のダウンリンクサブフレームにおける複数のダウンリンクキャリア上で送信されたすべてのパケットのためのＡＣＫ／ＮＡＣＫ情報が、１つのアップリンクサブフレームにおける１つのアップリンクキャリア上のＰＵＣＣＨ上で送られる。１つのシナリオでは、最大５つのダウンリンクキャリアが、単一のアップリンクキャリアにマッピングされ得、最大９つのダウンリンクサブフレームが、単一のアップリンクサブフレームに関連付けられ、最大２つのパケットが、各ダウンリンクサブフレームにおける各ダウンリンクキャリア上で送信され得る。この場合、最大９０個のＡＣＫ／ＮＡＣＫビットが、最大９０個のパケットのために得られ、１つにアップリンクサブフレームにおいて１つのアップリンクキャリア上のＰＵＣＣＨ上で送られる必要がある。
【００４０】
本開示の一態様によれば、いくつかのＡＣＫ／ＮＡＣＫ送信技術がサポートされることができ、マルチキャリアＵＥは、１つまたはそれより多くのＡＣＫ／ＮＡＣＫ送信技術を利用してＡＣＫ／ＮＡＣＫ情報を送り得る。１つの設計例において、マルチキャリアＵＥは、送るべきＡＣＫ／ＮＡＣＫ情報のビット数を減らすために、および／またはＡＣＫ／ＮＡＣＫ情報を送るために使用され得るペイロードビット数を増やすために、以下のＡＣＫ／ＮＡＣＫ送信技術のうちの１つまたはそれより多くを選択することができる。
【００４１】
・直交系列削減−通常（nominal）の長さよりも短い長さの直交系列を用いてＡＣＫ／ＮＡＣＫ情報を送る、
・チャネル選択−複数のリソースのうちの１つを用いてＡＣＫ／ＮＡＣＫ情報を送る、
・空間バンドリング−１つのダウンリンクサブフレームにおける１つのダウンリンクサブキャリア上で、空間多重化を用いて送られる複数のパケットのためのＡＣＫ／ＮＡＣＫビットをバンドル（一纏めに）する、
・キャリアバンドリング−１つのダウンリンクサブフレームにおける複数のダウンリンクキャリア上で送られるパケットのためのＡＣＫ／ＮＡＣＫビットをバンドル（一纏めに）する、および
・サブフレームバンドリング−複数のダウンリンクサブフレームにおける１つのダウンリンクキャリア上で送られるパケットのためのＡＣＫ／ＮＡＣＫビットをバンドル（一纏めに）する。
【００４２】
直交系列削減技術は、ＰＵＣＣＨ上のペイロードビット数を増やす、すなわち、ＰＵＣＣＨペイロードサイズを増やすために使用され得る。通常の巡回プレフィックスに関して、２ビットまでのＡＣＫ／ＮＡＣＫ情報が、（通常の巡回プレフィックスの通常の長さである）長さ４の直交系列を用いて送ら、４ビットまでが長さ２の直交系列を用いて送られ、８ビットまでが長さ１の直交系列を用いて（直交拡散しないことに対応する）送られ得る。拡張された巡回プレフィックスに関して、２ビットまでのＡＣＫ／ＮＡＣＫ情報は（拡張された巡回プレフィックスの通常の長さである）長さ３の直交系列を用いて送られ、６ビットまでが長さ１の直交系列を用いて（すなわち、直交拡散せずに）送られ得る。
【００４３】
また、チャネル選択技術は、ＰＵＣＣＨ上のペイロードビット数を増やすために使用され得る。ＵＥは、ＡＣＫ／ＮＡＣＫ情報を送るために複数のＡＣＫ／ＮＡＣＫリソースを割り当てられ得る。各ＡＣＫ／ＮＡＣＫリソースは、チャネルに対応し、特定の基準信号系列（例えば、基本系列の特定の巡回シフト）と、特定の直交系列と、リソースブロックの特定の対とを備え得る。ＵＥは、ＵＥに割り当てられた複数のＡＣＫ／ＮＡＣＫリソースのうちの１つを用いて、ＡＣＫ／ＮＡＣＫ情報を送ることができる。追加的なビットが、どのＡＣＫ／ＮＡＣＫリソースが使用のために選択されるかに基づいて送られ得る。例えば、ＵＥは、４つのＡＣＫ／ＮＡＣＫリソースを割り当てられ、使用のために４つのＡＣＫ／ＮＡＣＫリソースのうちの１つを選択し得る。ＡＣＫ／ＮＡＣＫ情報の２つの追加的なビットは、４つのＡＣＫ／ＮＡＣＫリソースのうちのどの１つがＵＥによって選択されるかによって運ばれ得る。一般化すると、ＡＣＫ／ＮＡＣＫ情報のＢ個の追加的なビットが、ＵＥに２B個のＡＣＫ／ＮＡＣＫリソースを割り当てることによって送られ得る。ここで、Ｂは２または何らかのその他の値に等しい。
【００４４】
空間バンドリング技術は、送るべきＡＣＫ／ＮＡＣＫ情報のビット数を減らすために使用され得る。ＵＥは、１つのダウンリンクサブフレームにおいて１つのダウンリンクキャリア上の空間多重化を用いて複数のパケットのデータ送信を受信し得る。ＵＥは、各パケットが正しく復号されるか、または誤って復号されるかを決定することができ、各パケットに関するＡＣＫ／ＮＡＣＫビットを得る。次いで、ＵＥは、１つのバンドルされたＡＣＫ／ＮＡＣＫビットを得るために、すべてのパケットのためのＡＣＫ／ＮＡＣＫビットをバンドルし得る。例えば、バンドルされたＡＣＫ／ＮＡＣＫビットは、
（ｉ）すべてのパケットに対してＡＣＫが得られる場合、バンドルされたＡＣＫを伝えるための第１の値（例えば、「１」）に、または
（ｉｉ）いずれかのパケットに対してＮＡＣＫが得られる場合、バンドルされたＮＡＣＫを伝えるための第２の値（例えば、「０」）に、
設定されることができる。ＵＥは、すべてのパケットに関する１つのバンドルされたＡＣＫ／ＮＡＣＫビットを送ることができる。ｅＮＢは、ＵＥから、バンドルされたＡＣＫ／ＮＡＣＫビットを受信することができる。バンドルされたＡＣＫ／ＮＡＣＫビットがバンドルされたＡＣＫを示す場合、ｅＮＢは、ＵＥによってすべてのパケットに対してＡＣＫが得られたことを知ることができ、すべてのパケットの送信を終了することができる。逆に、バンドルされたＡＣＫ／ＮＡＣＫがバンドルされたＮＡＣＫを示す場合、ｅＮＢは、ＵＥによってすべてのパケットに対してＮＡＣＫが得られていると仮定することができ、複数のパケットの追加的な送信を送り得る。
【００４５】
キャリアバンドリング技術（クロスキャリアバンドリング（また、cross-carrier bundling：キャリアをまたがって一纏めにする）技術と呼ばれることがある）も、送るべきＡＣＫ／ＮＡＣＫ情報のビット数を削減するために使用され得る。ＵＥは、１つのダウンリンクサブフレームにおいて、複数のダウンリンクキャリア上で複数のパケットに係る複数のデータ送信を受信し得る。ＵＥは、各パケットが正しく復号されるか、または誤って復号されるかを決定することができ、各パケットについてのＡＣＫ／ＮＡＣＫビットを得る。次に、ＵＥは、複数のダウンリンクキャリア上で受信された複数のパケットのためのＡＣＫ／ＮＡＣＫビットをバンドル（一纏めに）して、１つのバンドルされたＡＣＫ／ＮＡＣＫビットを得ることができる。例えば、バンドルされたＡＣＫ／ＮＡＣＫビットは、
（ｉ）複数のダウンリンクキャリア上で受信されたすべてのパケットに対してＡＣＫが得られる場合のバンドルされたＡＣＫ、または
（ｉｉ）いずれかのダウンリンクキャリア上で受信されたいずれかのパケットに対してＮＡＣＫが得られる場合のバンドルされたＮＡＣＫ、
を搬送することができる。次いで、ＵＥは、複数のダウンリンクキャリア上で受信された複数のパケットに係るバンドルされたＡＣＫ／ＮＡＣＫビットを送ることができる。ｅＮＢは、ＵＥからバンドルされたＡＣＫ／ＮＡＣＫビットを受信することができ、
（ｉ）バンドルされたＡＣＫが受信される場合に複数の送信を終了するか、または
（ｉｉ）バンドルされたＮＡＣＫが受信される場合に、複数のダウンリンクキャリア上で該複数のパケットの追加的な送信を送ることができる。
【００４６】
サブフレームバンドリング技術も、送るべきＡＣＫ／ＮＡＣＫ情報のビット数を削減するために使用され得る。ＵＥは、複数のダウンリンクサブフレームにおける１つのダウンリンクキャリア上の複数のパケットに係る複数のデータ送信を受信し得る。ＵＥは、それぞれのパケットが正しく復号されるか、または誤って復号されるかを決定することができ、各パケットのためのＡＣＫ／ＮＡＣＫビットを得ることができる。次に、ＵＥは、複数のダウンリンクサブフレームにおいて受信された複数のパケットに関するＡＣＫ／ＮＡＣＫビットをバンドル（一纏めに）して、１つのバンドルされたＡＣＫ／ＮＡＣＫビットを得る。例えば、バンドルされたＡＣＫ／ＮＡＣＫビットは、
（ｉ）複数のダウンリンクサブフレームにおいて受信されたすべてのパケットについてＡＣＫが得られる場合のバンドルされたＡＣＫ、または
（ｉｉ）いずれかのダウンリンクサブフレームにおいて受信されたいずれかのパケットについてＮＡＣＫが得られる場合のバンドルされたＮＡＣＫ、
を搬送することができる。次いで、ＵＥは、複数のダウンリンクサブフレームにおいて受信された複数のパケットについて１つのバンドルされたＡＣＫ／ＮＡＣＫビットを送り得る。ｅＮＢは、ＵＥから、バンドルされたＡＣＫ／ＮＡＣＫビットを受信することができ、
（ｉ）バンドルされたＡＣＫが受信される場合に、複数のパケットの送信を終了するか、または
（ｉｉ）バンドルされたＮＡＣＫが受信される場合に、複数のダウンリンクサブフレームにおける１つのダウンリンクキャリア上で複数のパケットの追加的な送信を送ることができる。
【００４７】
１つまたはそれより多くのＡＣＫ／ＮＡＣＫ送信技術が、ＵＥがマルチキャリアモードで動作しているときに、ＡＣＫ／ＮＡＣＫ情報を送るため、使用のために選択され得る。ＵＥは、さまざまな方法で、ＡＣＫ／ＮＡＣＫ送信技術を選択することができる。１つの設計例において、ＵＥは、サポートされるＡＣＫ／ＮＡＣＫ送信技術の優先順位を決めることができ、それらの技術の優先順位に基づいて決められた順序でそれらの技術を選択することができる。例えば、ＵＥは、１番目に直交系列削減技術を選択し、２番目に空間バンドリング技術を選択し、３番目にチャネル選択技術を選択し、（ＴＤＤが使用される場合）４番目にサブフレームバンドリング技術を選択し、最後にキャリアバンドリング技術を選択することができる。ＡＣＫ／ＮＡＣＫ送信技術は、異なる順序で選択されることもできる。ＡＣＫ／ＮＡＣＫ送信技術の順序は、事前に決定され（例えば、規格で指定され）、ＵＥとｅＮＢの両方に事前に知られているか、もしくはｅＮＢによってＵＥにシグナリングされるか、またはその他の方法で決定されてもよい。順序は、静的（変化しない）であっても、または経時的に変わってもよい。
【００４８】
ＵＥは、１つまたはそれより多くの基準に基づいて１つまたはそれより多くのＡＣＫ／ＮＡＣＫ送信技術を選択することができる。これらの基準は、例えば、ＨＡＲＱフィードバックのために送るべきＡＣＫ／ＮＡＣＫビット数、データを送るために使用され、１つのアップリンクキャリアに関連付けられるダウンリンクキャリアの数、１つのアップリンクサブフレームに関連付けられるダウンリンクサブフレームの数（例えば、ＴＤＤにおけるアップリンクサブフレームに対するダウンリンクサブフレームの比）、各ダウンリンクサブフレームにおいて各ダウンリンクキャリア上で送られるパケットの数などを含み得る。例えば、直交系列削減技術は、選択基準（例えば、送るべきＡＣＫ／ＮＡＣＫビット数、またはデータを送るために使用されるダウンリンクキャリアの数）が第１の閾値Ｔ１を超える場合に選択され；  空間バンドリング技術は、また、選択基準が第２の閾値Ｔ２を超える場合に選択され；  チャネル選択技術は、また、選択基準が第３の閾値Ｔ３を超える場合に選択され；  サブフレームバンドリング技術は、また、選択基準が第４の閾値Ｔ４を超える場合に選択され；  キャリアバンドリング技術は、また、選択基準が第５の閾値Ｔ５を超える場合にやはり選択される、ことができ、ここで、Ｔ５＞Ｔ４＞Ｔ３＞Ｔ２＞Ｔ１である。一組の規則が、複数の選択基準と複数の閾値とに基づいて１つまたはそれより多くのＡＣＫ／ＮＡＣＫ送信技術を選択するために使用され得る。これらの規則は、表または何らかのその他のフォーマットで与えられ得、ＵＥとｅＮＢの両方に知られ得る。明確にするために、ＡＣＫ／ＮＡＣＫ送信技術の異なる組合せを用いてＡＣＫ／ＮＡＣＫ情報を送るいくつかの例示的な設計例が、以下で説明される。
【００４９】
第１の例示的なＡＣＫ／ＮＡＣＫ送信の設計例において、ＵＥは、直交系列削減と空間バンドリングとの組合せを利用してＡＣＫ／ＮＡＣＫ情報を送ることができる。例示的な設計例において、直交系列削減は、送るべきＡＣＫ／ＮＡＣＫビット数がＢ１の閾値を超える場合に使用するために選択され、ここで、Ｂ１は２に等しくてよい。空間バンドリングは、送るべきＡＣＫ／ＮＡＣＫビット数がＢ２の閾値を超える場合に使用するために選択され得る。１つの設計例において、Ｂ２は、通常の巡回プレフィックスの場合に８に等しく、拡張された巡回プレフィックスの場合に６に等しくてよい。他の設計例において、Ｂ２は、通常の巡回プレフィックスと拡張された巡回プレフィックスの両方のために６に等しくてよい。送るべきＡＣＫ／ＮＡＣＫビット数がＢ１とＢ２の間であるとき、ＵＥは、好適な長さの直交系列を選択することができる。送るべきＡＣＫ／ＮＡＣＫビット数がＢ２を超えるとき、例えば、ＰＵＣＣＨのための利用可能なペイロードサイズに合うようにＡＣＫ／ＮＡＣＫ情報のビット数を削減するために、空間バンドリングが、一部のまたはすべてのダウンリンクキャリアについて実行され得る。
【００５０】
ＵＥは、さまざまな方法で、一部またはすべてのダウンリンクキャリアのために空間バンドリングを実行することができる。１つの設計例において、空間バンドリングは、副ダウンリンクキャリアに対して最初に実行され、次いで、必要に応じて主ダウンリンクキャリアに対して実行され得る。空間バンドリングを実行すべき特定の副ダウンリンクキャリアは、あらかじめ決められた順序で選択され得る。例えば、ダウンリンクキャリアは、１からＭのインデックスを割り当てられることができ、副ダウンリンクキャリアは、（例えば、主ダウンリンクキャリアから始まる）それらのインデックスに基いた順序で、空間バンドリングのために選択され得る。例えば、Ｂ２が８に等しく、５つのダウンリンクキャリア１から５が、データを送るために使用され、２つのパケットが、空間多重を用いて各ダウンリンクキャリア上で送られ得る。ダウンリンクキャリア３が主ダウンリンクキャリアである場合、空間バンドリングは、ダウンリンクキャリア４と５とのそれぞれのために１つのバンドルされたＡＣＫ／ＮＡＣＫビットを得るために、これらのダウンリンクキャリアの各々に対して実行され得る。空間バンドリングは、ダウンリンクキャリア１と２と３とに対しては実行されなくてよく、これらのダウンリンクキャリアのそれぞれについて、２つのＡＣＫ／ＮＡＣＫビットが得られる。ＡＣＫ／ＮＡＣＫ情報の合計８ビットが、長さ１の直交系列を用いて（または時間拡散なしに）送られることができる。
【００５１】
他の設計例において、ＵＥは、ダウンリンクキャリアの数がＣ２の閾値を超える場合に、空間バンドリングを選択することができ、ここで、Ｃ２は、３または何らかのその他の値に等しくてよい。Ｃ２個またはそれより少ないダウンリンクキャリアがデータを送るために使用される場合、好適な長さの直交系列が、使用のために選択され得る。他に、Ｃ２個を超えるダウンリンクキャリアがデータを送るために使用される場合、空間バンドリングが、複数のパケットが空間多重化を用いて送られる各ダウンリンクキャリアについて実行され得る。例えば、Ｂ２が６に等しく、Ｃ２が３に等しく、５つのダウンリンクキャリア１から５が、データ送信を送るために使用され得る。３つまたはそれより少ないダウンリンクキャリアがデータ送信を送るために使用される場合、好適な長さの直交系列が使用もために選択され得る。他には、３つより多くのダウンリンクキャリアがデータ送信を送るために使用される場合、空間バンドリングは、５つのバンドルされたＡＣＫ／ＮＡＣＫビットを得るために、最初に実行され得る。次いで、好適な長さの直交系列が、５つのバンドルされたＡＣＫ／ＮＡＣＫビットを送るために使用するために選択され得る。一般的にいって、空間バンドリングは、複数のパケットが例えば空間多重を用いて送られる１つまたはそれより多くのダウンリンクキャリア上で実行され得る。
【００５２】
表１は、データが受信されるダウンリンクキャリアの数に基づいて直交系列削減と空間バンドリングとを用いてＡＣＫ／ＮＡＣＫ情報を送る例示的な設計を示す。表１は、
（ｉ）ＵＥが、空間多重を用いて、各ダウンリンクキャリア上で２つまでのパケットを送ることができること、
（ｉｉ）２ビットのＡＣＫ／ＮＡＣＫ情報が、式（１）に示されるように処理され得る、１つのＱＰＳＫ変調シンボルにマッピングされ得ること、を仮定する。表１の第２列は、１つのＰＵＣＣＨ上でＡＣＫ／ＮＡＣＫ情報を送るための処理を示す。表１の第３列は、２つのＰＵＣＣＨ上でＡＣＫ／ＮＡＣＫ情報を送るための処理を示す。表１において、「ＯＣの長さ」は、直交系列の長さ（または直交カバー長（orthogonal cover length））を指す。
【表１】
0005529337.tif 000003
【００５３】
シングルキャリア波は、表１の第２列に示されるように、１つのＰＵＣＣＨを送ることによって得られ。他方、表１の第３列に示されるように２つのＰＵＣＣＨを送ることは、シングルキャリア波には反する。シングルキャリア波は、所望の、より低いピーク対平均電力比（ＰＡＰＲ）を有し得る。２つのＰＵＣＣＨは、異なるリソースブロック上で、および／または、異なる基準信号系列、および／または、異なる直交系列を用いて送られ得る。
【００５４】
表２は、マルチキャリア動作で直交系列削減と空間バンドリングとを用いてＡＣＫ／ＮＡＣＫ情報を送る別の例示的な設計を示す。表２は、
（ｉ）ＵＥが、空間多重を用いて（「ＭＩＭＯ」と表記される）、１つのダウンリンクキャリア上で２つのパケットを送ることができること、
（ｉｉ）ＵＥが、空間多重を用いずに（「ＳＩＭＯ」と表記される）、１つのダウンリンクキャリア上で１つのパケットを送ること、
（ｉｉｉ）２ビットのＡＣＫ／ＮＡＣＫ情報が、１つのＱＰＳＫ変調シンボルにマッピングされ得ること、
と仮定する。表２の設計例は、
（ｉ）可能な限り削減された、直交系列の長さを利用し、
（ｉｉ）可能な限り、空間バンドリングを最小限にする、
ことを企図するものである。
【表２】
0005529337.tif 000004
【００５５】
第２の例示的なＡＣＫ／ＮＡＣＫ送信の設計において、ＵＥは、直交系列削減と、空間バンドリングと、キャリアバンドリングとの組合せを利用して、複数のキャリアに係るＡＣＫ／ＮＡＣＫ情報を送ることができる。表３は、直交系列削減と、空間バンドリングと、キャリアバンドリングとを用いてＡＣＫ／ＮＡＣＫ情報を送る例示的な設計を示す。表３は、
（ｉ）ＵＥが、空間多重を用いて１つのダウンリンクキャリア上で２つのパケットを送ること、
（ｉｉ）長さ２のより短い直交系列（ＯＣの長さ＝２）のみがサポートされること、
（ｉｉｉ）２ビットのＡＣＫ／ＮＡＣＫ情報が、１つのＱＰＳＫ変調シンボルにマッピングされ得ること、
を想定する。表３に示される設計例において、ＵＥは、空間バンドリングを用いずに１つのＰＤＣＣＨ上で１つまたは２つのダウンリンクキャリアのためのＡＣＫ／ＮＡＣＫ情報を送ることができる。ＵＥは、空間バンドリングを用いて、１つのＰＤＣＣＨ上の３つまたはそれより多くのダウンリンクキャリアのためのＡＣＫ／ＮＡＣＫ情報を送ることができる。
【表３】
0005529337.tif 000005
【００５６】
表４は、直交系列削減と、空間バンドリングと、キャリアバンドリングとを用いて、複数のキャリアについてのＡＣＫ／ＮＡＣＫ情報を送る別の例示的な設計を示す。表４は、
（ｉ）ＵＥが、空間多重化を用いて１つのダウンリンクキャリア上で２つのパケットを送ることができること、
（ｉｉ）ＵＥが、空間多重を用いずに１つのダウンリンクキャリア上で１つのパケットを送ることができること、
（ｉｉｉ）２ビットのＡＣＫ／ＮＡＣＫ情報が、１つのＱＰＳＫ変調シンボルにマッピングされ得ること、
を想定する。表４の設計例は、
（ｉ）可能な限り削減された直交系列の長さを利用する、
（ｉｉ）可能な限り空間バンドリングとキャリアバンドリングとを最小限にする、
ことを企図するものである。
【表４】
0005529337.tif 000006
【００５７】
表２と３とに示されるように、ＵＥは、最初に直交系列削減が利用され、次に必要に応じて空間バンドリングが利用され、次いで必要に応じて最後にキャリアバンドリングが利用されるように、ＡＣＫ／ＮＡＣＫ送信技術の優先順位を決めることができる。また、空間バンドリングとキャリアバンドリングとが、ＰＤＣＣＨペイロードサイズに基づいて実行され得る。空間バンドリングまたはキャリアバンドリングを実行すべき特定のダウンリンクキャリアは、上述のように、さまざまな方法で選択され得る。
【００５８】
第３の例示的なＡＣＫ／ＮＡＣＫ送信の設計において、ＵＥは、ＡＣＫ／ＮＡＣＫ情報を送るために。直交系列削減と、チャネル選択と、空間バンドリングとを含むＡＣＫ／ＮＡＣＫ送信技術の順序を利用し得る。ＵＥは、複数のＡＣＫ／ＮＡＣＫリソースを用いて、ＡＣＫ／ＮＡＣＫ情報を送るように構成され得る。１つの設計例において、複数のＡＣＫ／ＮＡＣＫリソースが、上位レイヤのシグナリングによってほぼ変化しないように（semi-statically）割り当てられ得る。他の設計例においては、複数のＡＣＫ／ＮＡＣＫリソースが、動的に割り当てられ得る。例えば、１つのダウンリンクサブフレームにおける１つのダウンリンクキャリア上の１つまたはそれより多くのパケットの各送信は、物理ダウンリンク制御チャネル（ＰＤＣＣＨ）上で送られるダウンリンク許可（downlink grant）に関連付けられ得る。（ＦＤＤとＴＤＤの両方における）異なるダウンリンクキャリア上で、および場合によっては（ＴＤＤにおける）異なるダウンリンクサブフレーム上で送られるパケットの複数の送信のための複数のダウンリンク許可が、複数のＰＤＣＣＨで送られ得る。各ＰＤＣＣＨは、特定のＡＣＫ／ＮＡＣＫリソースにマッピングされ得る異なるＰＤＣＣＨリソース上で送られることができる。そのとき、ＵＥに割り当てられるＡＣＫ／ＮＡＣＫリソースは、ＵＥにダウンリンク許可を送るために使用されるＰＤＣＣＨリソースによって暗黙的に運ばれ得る。ＡＣＫ／ＮＡＣＫリソースは、その他の方法でＵＥに割り当てられてもよい。
【００５９】
表５は、直交系列削減と、チャネル選択と、空間バンドリングとを用いて複数のキャリアに関するＡＣＫ／ＮＡＣＫ情報を送る例示的な設計を示す。表５の設計例は、
（ｉ）長さ２のより短い直交系列（ＯＣの長さ＝２）のみがサポートされること、
（ｉｉ）ＡＣＫ／ＮＡＣＫ情報の２つの追加的なビットは、４つの割り当てられたＡＣＫ／ＮＡＣＫリソースを使用するチャネル選択を用いて搬送され得ること、
（ｉｉｉ）ＵＥが、１つのダウンリンクサブフレームにおける１つのダウンリンクキャリア上で最大２つのパケットを送ることができること、
（ｉｖ）２ビットのＡＣＫ／ＮＡＣＫ情報が、１つのＱＰＳＫ変調シンボルにマッピングされ得ること、
を想定する。この設計例において、ＵＥは、チャネル選択を用いずに、１つのＰＤＣＣＨ上の１つまたは２つのダウンリンクキャリアのためのＡＣＫ／ＮＡＣＫ情報を送ることができる。ＵＥは、チャネル選択を用いて、１つのＰＤＣＣＨ上で３つまたはそれより多くのダウンリンクキャリアのためのＡＣＫ／ＮＡＣＫ情報を送ることができる。
【表５】
0005529337.tif 000007
【００６０】
表６は、直交系列削減と、チャネル選択と、空間バンドリングとを利用してマルチキャリア動作においてＡＣＫ／ＮＡＣＫ情報を送る他の例示的な設計を示す。表６の設計例は、
（ｉ）ＡＣＫ／ＮＡＣＫ情報の２つの追加的なビットが、４つの割り当てられたＡＣＫ／ＮＡＣＫリソースを使用するチャネル選択を用いて搬送され得ること、
（ｉｉ）ＵＥが、１つのダウンリンクサブフレームにおける１つのダウンリンクキャリア上で最大２つのパケットを送ることができること、
（ｉｉｉ）２ビットのＡＣＫ／ＮＡＣＫ情報が、１つのＱＰＳＫ変調シンボルにマッピングされ得ること、
を想定する。この設計例において、ＵＥは、チャネル選択を用いずに、１つのＰＤＣＣＨ上の１つまたは２つのダウンリンクキャリアのためのＡＣＫ／ＮＡＣＫ情報を送ることができる。ＵＥは、チャネル選択を用いて、１つのＰＤＣＣＨ上の３つまたはそれより多くのダウンリンクキャリアのためのＡＣＫ／ＮＡＣＫ情報を送ることができる。
【表６】
0005529337.tif 000008
【００６１】
ＦＤＤに関して、最大２＊Ｍ個のＡＣＫ／ＮＡＣＫビットが、１つのダウンリンクサブフレームにおいてＭ個のダウンリンクキャリア上で送られる最大２＊Ｍ個のパケットのために得られる。これらの最大２＊Ｍ個のＡＣＫ／ＮＡＣＫビットは、
（ｉ）表５または６の第２列に示されるように、バンドリングを用いずに１つのＰＤＣＣＨ上で、または
（ｉｉ）表５または６の第３列に示されるように、チャネル選択を用いずに２つのＰＤＣＣＨで、
送られ得る。
【００６２】
ＴＤＤに関して、最大２＊Ｍ＊Ｐ個のＡＣＫ／ＮＡＣＫビットが、Ｐ個のダウンリンクサブフレームにおいてＭ個のダウンリンクキャリア上で送られる最大２＊Ｍ＊Ｐ個のパケットに対して得られる。サブフレームバンドリングは、最大２＊Ｍ個のバンドルされたＡＣＫ／ＮＡＣＫビットを得るために、Ｐ個のダウンリンクサブフレームにわたって、各ダウンリンクキャリアに対して実行され得る。これらの最大２＊Ｍ個のバンドルされたＡＣＫ／ＮＡＣＫビットは、表５または６に示されるように、１つまたは２つのＰＵＣＣＨ上で送られることができる。
【００６３】
表５に示された設計例において、２＊ＭビットのＡＣＫ／ＮＡＣＫ情報は、２つのパケットが空間多重を用いて各ダウンリンクキャリア上で送られるときに得られる。２＊Ｍ個よりも少ないビットのＡＣＫ／ＮＡＣＫ情報は、データが空間多重を用いずに１つまたはそれより多くのダウンリンクキャリア上で送られるときに得られる。この場合、ＡＣＫ／ＮＡＣＫ情報は、表５に示された設計例とは異なるように送られ得る。例えば、４つのＡＣＫ／ＮＡＣＫビットが、空間多重を用いない４つのダウンリンクキャリアの各々の上に１パケットある、４つのパケットに対して得られる。これらの４つのＡＣＫ／ＮＡＣＫビットは、チャネル選択を用いずに、長さ２のより短い直交系列（ＯＣの長さ＝２）を用いて送られ得る。
【００６４】
複数のキャリアのためのＡＣＫ／ＮＡＣＫ情報を送る６つの設計例が、表１ないし６に示される。ＡＣＫ／ＮＡＣＫ情報は、その他の方法で、直交系列削減、バンドリング、および／またはチャネル選択を用いて送られ得る。上述の設計例は、また、２つまたはそれより多くのＰＵＣＣＨへと拡張され得る。しかし、２つのＰＵＣＣＨは、ＰＡＰＲとＰＵＣＣＨペイロードサイズの間の良好なトレードオフを与え得る。
【００６５】
図５に示された設計例において、ＵＥは、２つのリソースブロックにおいて、繰り返してＡＣＫ／ＮＡＣＫ情報を送ることができる。特に、１または２ビットのＡＣＫ／ＮＡＣＫ情報は、Ｎ個のデータ系列を得るために、式（１）に示されるように処理され得る１つの変調シンボルｄ（０）にマッピングされ得る。次いで、Ｎ個のデータ系列が、図５に示されるように、２つのリソースブロックのそれぞれのＮシンボル期間において送られ得る。
【００６６】
他の設計例において、ＵＥは、２つのリソースブロックにおいて、符号化を用いてＡＣＫ／ＮＡＣＫ情報を送ることができる。例えば、ＡＣＫ／ＮＡＣＫ情報が、符号ビットを得るために（例えば、ブロック符号を用いて）符号化され、次いで、それらの符号ビットが、複数の変調シンボルにマッピングされ得る。１つまたはそれより多くの変調シンボルは、Ｎ個のデータ系列の第１の組を得るために処理される。１つまたはそれより多くの残りの変調シンボルは、Ｎ個のデータ系列の第２の組を得るために処理され得る。Ｎ個のデータ系列の第１の組は一方のリソースブロック上で送られ、Ｎ個のデータ系列の第２の組はもう一方のリソースブロック上で送られることができる。
【００６７】
ＡＣＫ／ＮＡＣＫ情報に対して使用される符号化方式は、送るべきＡＣＫ／ＮＡＣＫ情報のビット数、直交系列の長さ（例えば、４、３、２、または１）、通常の巡回プレフィックスが利用されるか、または拡張された巡回プレフィックスが利用されるか、などのさまざまな要因に基づいて選択され得る。例えば、ＯＣの長さ＝１が使用されるとき、ＰＵＣＣＨでの送信のためにＣＱＩ情報を符号化するために、ＬＴＥリリース８で使用される符号化方式は、ＡＣＫ／ＮＡＣＫ情報を符号化するために再び使用され得る。
【００６８】
ＡＣＫ／ＮＡＣＫ情報は、符号化とバンドリングとを用いて送られることもできる。より少ないＡＣＫ／ＮＡＣＫビットが、所与のＰＤＣＣＨペイロードサイズのための符号化を用いて送られることができる。バンドリングは、ＰＵＣＣＨ上で送るべきＡＣＫ／ＮＡＣＫ情報のビット数を削減するために実行され得る。例えば、ＡＣＫ／ＮＡＣＫ情報のより多くのビットが、より短い直交系列の長さを用いて送られることができるが、これらのＡＣＫ／ＮＡＣＫ情報ビットは、より少ないシンボル期間でのそれらの送信が原因で誤って受信される可能性がより高くなり得る。符号化は、誤り確率を減らすために使用され得るが、ＰＵＣＣＨ上で送られることができるＡＣＫ／ＮＡＣＫ情報のより少ないビットに帰結する。そして、空間バンドリングおよび／またはその他の種類のバンドリングが、送るべきＡＣＫ／ＮＡＣＫ情報のビット数を削減するために実行され得る。一般的に言えば、より多くのバンドリングは、所与のＰＵＣＣＨペイロードサイズに対してより高い符号化率の使用を可能にするために実行され得る。
【００６９】
他の態様において、ＵＥは、データを送るために使用されるすべてのダウンリンクキャリアのサブセットに対して、キャリアバンドリングを実行し得る。（すべてのキャリアに代えて）一部のキャリアのみに対するキャリアバンドリングが、
（ｉ）利用可能なペイロードサイズに合うに十分な量だけ、ＡＣＫ／ＮＡＣＫ情報のビット数を削減する、および／または
（ｉｉ）同様の特性を有するキャリアのみをバンドリングすることによって良好な性能を提供する、
ために使用され得る。一部のキャリアのみに対するキャリアバンドリングのいくつかの例が、
（ｉ）１つのＰＵＣＣＨを用いる、５つのダウンリンクキャリアの場合について表３に、および
（ｉｉ）５つのダウンリンクキャリアとＯＣの長さ＝２とを用いる場合について表４に、
示されている。
【００７０】
キャリアバンドリングを実行すべきダウンリンクキャリアのサブセットは、さまざまな方法で決定され得る。１つの設計例において、サブセットは、同じ周波数帯域のダウンリンクキャリアを含み得る。これらのダウンリンクキャリアは、同様の長期的なチャネル状態を観察でき、したがって、同様の性能を有し得る。
【００７１】
他の設計例において、サブセットは、同様の干渉状態を観察するダウンリンクキャリアを含み得る。例えば、異種ネットワークにおいて、１つまたはそれより多くのダウンリンクキャリアがマクロｅＮＢに割り当てられ得、１つまたはそれより多くのその他のダウンリンクキャリアがホームｅＮＢ（ＨｅＮＢ）に割り当てられ得る。異なる種類のｅＮＢに割り当てられたダウンリンクキャリアは、異なる干渉状態を観察し得る。したがって、サブセットは、特定の種類のｅＮＢに割り当てられたダウンリンクキャリアを含み得る。
【００７２】
さらに他の設計例において、サブセットは、同様の長期的なチャネルの状態を有すると決定されたダウンリンクキャリアを含み得る。例えば、ＵＥは、異なるダウンリンクキャリアのチャネル品質を推定することができる。そして、サブセットは、同様の長期的なチャネル品質を有するダウンリンクキャリアを含むことができる。
【００７３】
ダウンリンクキャリアのサブセットは、その他の方法で決定されることもできる。１つの設計例において、ダウンリンクキャリアのサブセットは、ＵＥに関するネットワークエンティティ（例えば、サービスを提供しているｅＮＢまたはネットワークコントローラ）によって決定されることができ、（例えば、上位レイヤのシグナリングによって）ＵＥにシグナリングされ得る。他の設計例において、ダウンリンクキャリアのサブセットは、ＵＥによって決定され、そのＵＥのサービスを提供しているｅＮＢに明示的にまたは暗黙的にシグナリングされ得る。ダウンリンクキャリアのサブセットは、その他の方法で決定され、伝えられる可能性もある。
【００７４】
サブセット中のダウンリンクキャリアは、同様のチャネルおよび／または干渉状態を観察し得る。したがって、同じまたは同様のＭＣＳは、これらのダウンリンクキャリアに対して使用されることができ、同じまたは同様の終了目標が、これらのダウンリンクキャリアに対して選択されることができる。これらのダウンリンクキャリア上で送られるパケットは、正しく復号される同程度の見込みを有し得る。したがって、これらのパケットに対して、すべてがＡＣＫ、またはすべてがＮＡＣＫということが得られるより高い可能性があり、その場合、これらのＡＣＫまたはＮＡＣＫをバンドルすることは、性能の低下がより少ない結果を生じ得る。
【００７５】
図６は、キャリアのサブセットに対するキャリアバンドリングを用いてＡＣＫ／ＮＡＣＫ情報を送るためのプロセス６００の設計例を示す。プロセス６００は、（以下で説明されるように）ＵＥによって、または何らかのその他のエンティティによって実行され得る。ＵＥは、そのＵＥが一組のキャリア上でのマルチキャリア動作のために構成されていることを決定することができる（ブロック６１２）。ＵＥは、一組のキャリアの中の複数のキャリア上でのデータ送信を受信することができる（ブロック６１４）。複数のキャリアは、ＵＥのために構成された一組のキャリアの中のキャリアのすべてまたは一部を含み得る。ＵＥは、複数のキャリア上のデータ送信に対するＡＣＫ／ＮＡＣＫビットを決定することができる（ブロック６１６）。各データ送信は、１つまたはそれより多くのパケットの送信に対応し、ＡＣＫ／ＮＡＣＫビットは、各パケットに対して決定され得る。ＵＥは、また、ＡＣＫ／ＮＡＣＫビットをバンドルすべき、データ送信が受信される複数のキャリアのサブセットである少なくとも２つのキャリアを決定し得る（ブロック６１８）。ＵＥは、少なくとも２つのキャリア上でのデータ送信のためのＡＣＫ／ＮＡＣＫビットを、キャリアにまたがってバンドルすることができる（ブロック６２０）。ＵＥは、少なくとも２つのキャリア上でのデータ送信のための少なくとも１つのバンドルされたＡＣＫ／ＮＡＣＫビットを備えるＡＣＫ／ＮＡＣＫ情報を送り得る（ブロック６２２）。ＡＣＫ／ＮＡＣＫ情報は、複数のキャリアの中の少なくとも１つの残りのキャリア上での少なくとも１つのデータ送信に対して、少なくとも１つのＡＣＫ／ＮＡＣＫビットをさらに備えることができ、該少なくとも１つのＡＣＫ／ＮＡＣＫビットは、キャリアにまたがったバンドリングはない。ＵＥは、ＡＣＫ／ＮＡＣＫ情報を、ダウンリンクのための複数のキャリアに関連付けられた単一のアップリンクキャリア上で送ることができる。
【００７６】
ＡＣＫ／ＮＡＣＫビットをバンドルすべき特定のキャリアは、さまざまな方法で決定され得る。１つの設計例において、ＡＣＫ／ＮＡＣＫビットをバンドルすべき少なくとも２つのキャリアは、同じ周波数帯域から選択され得る。いくつかのその他の設計例において、ＡＣＫ／ＮＡＣＫビットをバンドルすべき少なくとも２つのキャリアは、
（ｉ）データ送信が受信されるキャリアの数、
（ｉｉ）複数のキャリア上のデータ送信に対するＡＣＫ／ＮＡＣＫビットの総数、
（ｉｉｉ）ＡＣＫ／ＮＡＣＫ情報を送るために利用可能なペイロードビット数、
（ｉｖ）複数のキャリアのそれぞれに関するデータ送信モード、
（ｖ）複数のキャリアのそれぞれに係る終了目標、
（ｖｉ）ＵＥのために構成される一組のキャリアの中の各キャリアに関連付けられる干渉特性（例えば、同様の干渉特性を有するキャリアがバンドリングのために選択され得る）、および／または
その他の基準に基づいて決定され得る。キャリアバンドリングも、１つまたはそれより多くの閾値に基づいて実行され得る。例えば、キャリアバンドリングは、ＡＣＫ／ＮＡＣＫビットの総数がＡＣＫ／ＮＡＣＫビットの閾値の数を超えるとき、またはデータ送信が受信されるキャリアの数がキャリアの閾値の数を超えるときに実行され得る。他の設計例において、ＵＥは、キャリアにまたがってＡＣＫ／ＮＡＣＫビットをバンドルすべきキャリアのグループを示す構成メッセージを受信することができる。そのとき、ＵＥは、少なくとも２つのキャリアを、キャリアの該グループに基づいて決定することができる。
【００７７】
ＵＥは、キャリアバンドリングを空間バンドリングおよび／またはサブフレームバンドリングと組み合わせて実行し得る。１つの設計例において、ＵＥは、複数のキャリアの中の少なくとも１つのキャリア上でのデータ送信に対するＡＣＫ／ＮＡＣＫビットの空間バンドリングを実行することができる。他の設計例において、ＵＥは、複数のサブフレームにおける少なくとも１つのキャリア上でのデータ送信のためのＡＣＫ／ＮＡＣＫビットのサブフレームバンドリングを実行することができる。さらに他の設計例において、ＵＥは、空間バンドリングとサブフレームバンドリングの両方を実行することができる。ＵＥは、キャリアバンドリング、空間バンドリング、および／またはサブフレームバンドリングを、表、例えば、表１から６のうちのいずれか、において与えられ得る一組の規則に基づいて実行することができる。
【００７８】
図７は、キャリアのサブセットに対するキャリアバンドリングを用いて送られたＡＣＫ／ＮＡＣＫ情報を受信するためのプロセス７００の設計例を示す。プロセス７００は、（以下で説明されるように）基地局／ｅＮＢによって、または何らかのその他のエンティティによって実行され得る。基地局は、ＵＥによる使用のために構成された複数のキャリア上でＵＥにデータ送信を送ることができる（ブロック７１２）。その後、基地局は、複数のキャリアの中の少なくとも２つのキャリア上でのデータ送信に対する少なくとも１つのバンドルされたＡＣＫ／ＮＡＣＫビットを備えるＡＣＫ／ＮＡＣＫ情報をＵＥから受信することができる（ブロック７１４）。少なくとも２つのキャリアは、複数のキャリアのサブセットである得る。少なくとも１つのバンドルされたＡＣＫ／ＮＡＣＫビットは、少なくとも２つのキャリア上でのデータ送信に対するＡＣＫ／ＮＡＣＫビットをキャリアにまたがってバンドルすることによって得られる。基地局は、少なくとも１つのバンドルされたＡＣＫ／ＮＡＣＫビットに基づいて、少なくとも２つのキャリア上のデータ送信に対するＡＣＫ／ＮＡＣＫビットを得ることができる（ブロック７１６）。基地局は、ＡＣＫ／ＮＡＣＫビットに基づいて少なくとも２つのキャリア上のデータ送信のそれぞれを終了するか、または継続するかを決定することができる（ブロック７１８）。
【００７９】
図８は、異なるＡＣＫ／ＮＡＣＫ送信技術を用いてＡＣＫ／ＮＡＣＫ情報を送るためのプロセス８００の設計例を示す。プロセス８００は、（以下で説明されるように）ＵＥによって、または何らかのその他のエンティティによって実行され得る。ＵＥは、そのＵＥが一組のキャリア上でのマルチキャリア動作のために構成されていることを決定することができる（ブロック８１２）。ＵＥは、一組のキャリアの中の複数のキャリア上でのデータ送信を受信することができる（ブロック８１４）。ＵＥは、複数のキャリア上でのデータ送信に対するＡＣＫ／ＮＡＣＫビットを決定することができる（ブロック８１６）。ＵＥは、ＡＣＫ／ＮＡＣＫ情報を送るために使用する少なくとも１つのＡＣＫ／ＮＡＣＫ送信技術を決定することができる（ブロック８１８）。少なくとも１つのＡＣＫ／ＮＡＣＫ送信技術は、複数のサポートされるＡＣＫ／ＮＡＣＫ送信技術の中から選択され得る。ＵＥは、少なくとも１つのＡＣＫ／ＮＡＣＫ送信技術に基づいて、複数のキャリア上でのデータ送信に対するＡＣＫ／ＮＡＣＫビットを送ることができる（ブロック８２０）。
【００８０】
少なくとも１つのＡＣＫ／ＮＡＣＫ送信技術は、以下、
（ｉ）通常の長さよりも短い長さの直交系列を用いてＡＣＫ／ＮＡＣＫビットを送るための直交系列削減技術、
（ｉｉ）複数のリソースのうちの１つを用いてＡＣＫ／ＮＡＣＫ情報を送るためのチャネル選択技術、
（ｉｉｉ）空間多重を用いてキャリア上で同時に送られる複数のパケットのためのＡＣＫ／ＮＡＣＫビットをバンドルするための空間バンドリング技術、
（ｉｖ）サブフレームにおいて複数のキャリア上で送られる複数のパケットのためのＡＣＫ／ＮＡＣＫビットをバンドルするためのキャリアバンドリング技術、
（ｖ）複数のサブフレームにおけるキャリア上で送られる複数のパケットのためのＡＣＫ／ＮＡＣＫビットをバンドルするためのサブフレームバンドリング技術、
（ｖｉ）その他のＡＣＫ／ＮＡＣＫ送信技術、
のうちの１つまたはそれより多くを含み得る。
【００８１】
少なくとも１つのＡＣＫ／ＮＡＣＫ送信技術は、
（ｉ）データ送信が受信されるキャリアの数、
（ｉｉ）複数のキャリア上のデータ送信に関するＡＣＫ／ＮＡＣＫビットの総数、
（ｉｉｉ）複数のキャリアのそれぞれに関するデータ送信フォーマット、
（ｉｖ）ＴＤＤにおけるアップリンクサブフレームに対するダウンリンクサブフレームの比、
（ｖ）複数のサポートされるＡＣＫ／ＮＡＣＫ送信技術の優先順位、および／または
（ｖｉ）その他の基準、
を含み得る１つまたはそれより多くの基準に基づいて選択され得る。各キャリアに関するデータ送信フォーマットは、そのキャリア上で同時に送るパケットの数を示すことができ、例えば、空間多重することまたは空間多重しないことを示し得る。
【００８２】
１つの設計例において、特定のＡＣＫ／ＮＡＣＫ送信技術（例えば、直交系列削減技術、空間バンドリング技術、またはチャネル選択技術）が、選択基準が閾値を超える場合に選択され得る。例えば、特定のＡＣＫ／ＮＡＣＫ送信技術が、ＡＣＫ／ＮＡＣＫビットの総数が所定の値よりも多い場合に、またはデータ送信が受信されるキャリアの数が所定の閾値よりも多い場合に選択され得る。異なる所定の値または異なる所定の閾値が、異なるＡＣＫ／ＮＡＣＫ送信技術を選択するために使用され得る。他の設計例において、サポートされるＡＣＫ／ＮＡＣＫ送信技術は、表、例えば、表１から６のうちのいずれか、で与えられ得る一組の規則に基づいて選択され得る。
【００８３】
図９は、異なるＡＣＫ／ＮＡＣＫ送信技術を用いて送られるＡＣＫ／ＮＡＣＫ情報を受信するためのプロセス９００の設計例を示す。プロセス９００は、（以下で説明されるように）基地局によって、または何らかのその他のエンティティによって実行され得る。基地局は、ＵＥが一組のキャリア上でのマルチキャリア動作のために構成されていることを決定すし得る（ブロック９１２）。基地局は、一組のキャリアの中のそれより多くのキャリア上でＵＥにデータ送信を送ることができる（ブロック９１４）。基地局は、複数のキャリア上でのデータ送信に対するＡＣＫ／ＮＡＣＫ情報をＵＥから受信することができる（ブロック９１６）。基地局は、ＡＣＫ／ＮＡＣＫ情報を送るためにＵＥによって使用された少なくとも１つのＡＣＫ／ＮＡＣＫ送信技術を決定することができる（ブロック９１８）。少なくとも１つのＡＣＫ／ＮＡＣＫ送信技術は、複数のサポートされるＡＣＫ／ＮＡＣＫ送信技術の中から選択され得る。ＡＣＫ／ＮＡＣＫ情報は、その少なくとも１つのＡＣＫ／ＮＡＣＫ送信技術に基づいてＵＥによって送られることができる。基地局は、受信されたＡＣＫ／ＮＡＣＫ情報と少なくとも１つのＡＣＫ／ＮＡＣＫ送信技術とに基づいて、複数のキャリア上でのデータ送信に対するＡＣＫ／ＮＡＣＫビットを復元することができる（ブロック９２０）。例えば、ＡＣＫ／ＮＡＣＫ情報は、１つまたはそれより多くのバンドルされたＡＣＫ／ＮＡＣＫビットを備える可能性があり、基地局は、ＡＣＫ／ＮＡＣＫ送信モードに基づいてそれぞれのバンドルされたＡＣＫ／ＮＡＣＫビットのバンドル解除を実行することができる。
【００８４】
さらに他の態様において、いくつかのＡＣＫ／ＮＡＣＫ送信モードがサポートされ得、１つのＡＣＫ／ＮＡＣＫ送信モードが、いつでも、使用するために選択され得る。ＡＣＫ／ＮＡＣＫ送信モードは、ＡＣＫ／ＮＡＣＫ情報を送る特定の方法を指定することができ、１つまたはそれより多くのＡＣＫ／ＮＡＣＫ送信技術を利用することができる。例えば、第１のＡＣＫ／ＮＡＣＫ送信モードは直交系列削減を利用でき、第２のＡＣＫ／ＮＡＣＫ送信モードは直交系列削減と空間バンドリングとを利用でき、第３のＡＣＫ／ＮＡＣＫ送信モードは直交系列削減とチャネル選択とを利用するでき、第４のＡＣＫ／ＮＡＣＫ送信モードは直交系列削減と、チャネル選択と、空間バンドリングとを利用し得る、等々。
【００８５】
図１０は、いくつかのＡＣＫ／ＮＡＣＫ送信モードのうちの１つを用いてＡＣＫ／ＮＡＣＫ情報を送るためのプロセス１０００の設計例を示す。プロセス１０００は、（以下で説明されるように）ＵＥによって、または何らかのその他のエンティティによって実行され得る。ＵＥは、そのＵＥが一組のキャリア上でのマルチキャリア動作のために構成されていることを決定することができる（ブロック１０１２）。ＵＥは、一組のキャリアの中の複数のキャリア上でのデータ送信を受信することができる（ブロック１０１４）。ＵＥは、複数のキャリア上でのデータ送信に対するＡＣＫ／ＮＡＣＫビットを決定することができる（ブロック１０１６）。ＵＥは、ＡＣＫ／ＮＡＣＫ情報を送るために使用するＡＣＫ／ＮＡＣＫ送信モードを決定することができる（ブロック１０１８）。ＡＣＫ／ＮＡＣＫ送信モードは、複数のＡＣＫ／ＮＡＣＫ送信モードの中から選択され得る。ＵＥは、ＡＣＫ／ＮＡＣＫ送信モードに基づいて複数のキャリア上でのデータ送信に対するＡＣＫ／ＮＡＣＫビットを送ることができる（ブロック１０２０）。
【００８６】
ＡＣＫ／ＮＡＣＫ送信モードは、
（ｉ）データ送信が受信されるキャリアの数、
（ｉｉ）複数のキャリア上でのデータ送信に対するＡＣＫ／ＮＡＣＫビットの総数、
（ｉｉｉ）複数のキャリアのそれぞれに関するデータ送信フォーマット、
（ｉｖ）ＴＤＤにおけるアップリンクサブフレームに対するダウンリンクサブフレームの比、および／または
（ｖ）その他の基準、
を含み得る１つまたはそれより多くの基準に基づいて選択され得る。
【００８７】
１つの設計例において、複数のＡＣＫ／ＮＡＣＫ送信モードは、異なる長さの直交系列を用いる少なくとも２つのＡＣＫ／ＮＡＣＫ送信モードを含み得る。他の設計例において、複数のＡＣＫ／ＮＡＣＫ送信モードは、ＡＣＫ／ＮＡＣＫビットをバンドルする少なくとも１つのＡＣＫ／ＮＡＣＫ送信モードと、ＡＣＫ／ＮＡＣＫビットをバンドルしない少なくとも１つのその他のＡＣＫ／ＮＡＣＫ送信モードとを含み得る。さらに他の設計例において、複数のＡＣＫ／ＮＡＣＫ送信モードは、ＡＣＫ／ＮＡＣＫ情報を送るためにチャネル選択を使用する少なくとも１つのＡＣＫ／ＮＡＣＫ送信モードと、ＡＣＫ／ＮＡＣＫ情報を送るためにチャネル選択を使用しない少なくとも１つのその他のＡＣＫ／ＮＡＣＫ送信モードとを含み得る。複数のＡＣＫ／ＮＡＣＫ送信モードは、ＡＣＫ／ＮＡＣＫ送信技術のその他の組合せを含むことができる。
【００８８】
図１１は、いくつかのＡＣＫ／ＮＡＣＫ送信モードのうちの１つを用いて送られるＡＣＫ／ＮＡＣＫ情報を受信するためのプロセス１１００の設計例を示す。プロセス１１００は、（以下で説明されるように）基地局によって、または何らかのその他のエンティティによって実行され得る。基地局は、ＵＥが一組のキャリア上でのマルチキャリア動作のために構成されていることを決定することができる（ブロック１１１２）。基地局は、一組のキャリアの中の複数のキャリア上でＵＥにデータ送信を送ることができる（ブロック１１１４）。基地局は、ＡＣＫ／ＮＡＣＫ情報を送るためにＵＥによって使用されるＡＣＫ／ＮＡＣＫ送信モードを決定することができる（ブロック１１１６）。ＡＣＫ／ＮＡＣＫ送信モードは、上述の１つまたはそれより多くの基準に基づいて複数のＡＣＫ／ＮＡＣＫ送信モードの中から選択され得る。基地局は、複数のキャリア上でのデータ送信に対するＡＣＫ／ＮＡＣＫ情報を受信することができる（ブロック１１１８）。ＡＣＫ／ＮＡＣＫ情報は、ＡＣＫ／ＮＡＣＫ送信モードにしたがってＵＥによって送られる。基地局は、受信されたＡＣＫ／ＮＡＣＫ情報とＡＣＫ／ＮＡＣＫ送信モードとに基づいて、複数のキャリア上でのデータ送信に対するＡＣＫ／ＮＡＣＫビットを復元することができる（ブロック１１２０）。
【００８９】
図１２は、図１の基地局／ｅＮＢのうちの１つとＵＥのうちの１つとである得る基地局／ｅＮＢ１１０ｘとＵＥ１２０ｘとの設計例の構成図を示す。ＵＥ１２０ｘ内で、受信器１２１０は、基地局と場合によってはその他の局とによって送られたデータ送信を備えるダウンリンク信号を受信し、処理することができる。モジュール１２１２は、受信されたデータ送信を処理する（例えば、復調し、復号する）ことができる。モジュール１２１４は、受信されたデータ送信に対するＡＣＫ／ＮＡＣＫビットを決定することができる。モジュール１２１６は、適用可能な場合に、ＡＣＫ／ＮＡＣＫビットの空間バンドリング、キャリアバンドリング、および／またはサブフレームバンドリングを実行することができる。モジュール１２１６は、１つもしくはそれより多くのバンドルされたＡＣＫ／ＮＡＣＫビットおよび／または１つもしくはそれより多くのバンドルされていないＡＣＫ／ＮＡＣＫビットを備える得るＡＣＫ／ＮＡＣＫ情報を生成することができる。モジュール１２２２は、ＡＣＫ／ＮＡＣＫ情報を送るために使用する１つもしくはそれより多くのＡＣＫ／ＮＡＣＫ送信技術および／またはＡＣＫ／ＮＡＣＫ送信モードを決定することができる。モジュール１２１８は、選択された（１つもしくはそれより多くの）ＡＣＫ／ＮＡＣＫ送信技術および／またはＡＣＫ／ＮＡＣＫ送信モードにしたがってＡＣＫ／ＮＡＣＫ情報を送ることができる。送信器１２２０は、ＡＣＫ／ＮＡＣＫ情報、その他の情報、および／またはデータを備えるアップリンク信号を送信することができる。モジュール１２２４は、ＵＥ１２０ｘに関するマルチキャリア構成を決定することができる。例えば、モジュール１２２４は、ＵＥ１２０ｘのために構成される一組のキャリア、どのキャリアにキャリアバンドリングを適用すべきかなどを決定することができる。ＵＥ１２０ｘ内のさまざまなモジュールは、上述のように動作することができる。コントローラ／プロセッサ１２２６は、ＵＥ１２０ｘ内のさまざまなモジュールの動作を指示することができる。メモリ１２２８は、ＵＥ１２０ｘのためのデータとプログラムコードとを記憶することができる。
【００９０】
基地局１１０ｘ内で、モジュール１２５２は、ＵＥ１２０ｘおよび／またはその他のＵＥに関するデータ送信を生成することができる。送信器１２５４は、データ送信を備えるダウンリンク信号を生成することができる。受信器１２５４は、ＵＥ１２０ｘとその他のＵＥとによって送信されたアップリンク信号を受信し、処理することができる。モジュール１２６２は、ＡＣＫ／ＮＡＣＫ情報を送るためにＵＥによって使用される１つもしくはそれより多くのＡＣＫ／ＮＡＣＫ送信技術および／またはＡＣＫ／ＮＡＣＫ送信モードを決定することができる。モジュール１２５６は、決定された（１つもしくはそれより多くの）ＡＣＫ／ＮＡＣＫ送信技術および／またはＡＣＫ／ＮＡＣＫ送信モードにしたがって受信された信号を処理して、ＵＥ１２０ｘによって送られたＡＣＫ／ＮＡＣＫ情報を復元することができる。モジュール１２５８は、それぞれのバンドルされたＡＣＫ／ＮＡＣＫビットをバンドル解除することができる。モジュール１２６４は、ＵＥ１２０ｘに関するマルチキャリア構成を決定することができ、ＵＥ１２０ｘのために構成される一組のキャリア、どのキャリアにキャリアバンドリングを適用すべきかなどを決定することができる。基地局１１０ｘ内のさまざまなモジュールは、上述のように動作することができる。コントローラ／プロセッサ１２６６は、基地局１１０ｘ内のさまざまなモジュールの動作を指示することができる。メモリ１２６８は、基地局１１０ｘのためのデータとプログラムコードとを記憶することができる。スケジューラ１２７０は、データ送信のためにＵＥをスケジューリングすることができる。
【００９１】
図１２のモジュールは、プロセッサ、電子デバイス、ハードウェアデバイス、電子コンポーネント、論理回路、メモリ、ソフトウェアコード、ファームウェアコードなど、またはこれらの任意の組合せを備え得る。
【００９２】
図１３は、図１の基地局／ｅＮＢのうちの１つとＵＥのうちの１つとである得る基地局／ｅＮＢ１１０ｙとＵＥ１２０ｙとの設計例の構成図を示す。基地局１１０ｙは、Ｔ個のアンテナ１３３４ａから１３３４ｔを装備している可能性があり、ＵＥ１２０ｙは、Ｒ個のアンテナ１３５２ａから１３５２ｒを装備している可能性があり、概して、Ｔ≧１およびＲ≧１である。
【００９３】
基地局１１０ｙにおいて、送信プロセッサ１３２０は、１つまたはそれより多くのＵＥに関するデータソース１３１２からデータを受信し、そのＵＥのために選択された１つまたはそれより多くの変調符号化方式に基づいて各ＵＥに関するデータを処理し（例えば、符号化し、変調する）、すべてのＵＥにデータシンボルを提供することができる。送信プロセッサ１３２０は、（例えば、ダウンリンク許可、構成メッセージなどに関する）制御情報を処理し、制御シンボルを提供することもできる。プロセッサ１３２０は、基準信号に関する基準シンボルを生成することもできる。送信（ＴＸ）それより多く入力それより多く出力（ＭＩＭＯ）プロセッサ１３３０は、（適用可能な場合）データシンボル、制御シンボル、および／または基準シンボルをプリコーディングすることができ、Ｔ個の出力シンボルストリームをＴ個の変調器（ＭＯＤ）１３３２ａから１３３２ｔに与えることができる。各変調器１３３２は、（例えば、ＯＦＤＭなどのために）その出力シンボルストリームを処理して、出力サンプルストリームを得ることができる。各変調器１３３２は、その出力サンプルストリームをさらに調整して（例えば、アナログに変換し、増幅し、フィルタリングし、アップコンバートする）、ダウンリンク信号を得ることができる。変調器１３３２ａから１３３２ｔからのＴ個のダウンリンク信号が、それぞれ、Ｔ個のアンテナ１３３４ａから１３３４ｔを介して送信され得る。
【００９４】
ＵＥ１２０ｙにおいて、アンテナ１３５２ａから１３５２ｔは、基地局１１０ｙおよび／またはその他の基地局からのダウンリンク信号を受信することができ、受信された信号を復調器（ＤＥＭＯＤ）１３５４ａから１３５４ｒにそれぞれ提供することができる。各復調器１３５４は、その受信された信号を調整して（例えば、フィルタリングし、増幅し、ダウンコンバートし、デジタル化する）、入力サンプルを得ることができる。各復調器１３５４は、（例えば、ＯＦＤＭなどのために）入力サンプルをさらに処理して、受信されたシンボルを得ることができる。ＭＩＭＯ検波器１３５６は、Ｒ個すべての復調器１３５４ａから１３５４ｒからの受信されたシンボルを取得し、受信されたシンボルに対してＭＩＭＯ検波を実行し、検波されたシンボルを提供することができる。受信プロセッサ１３５８は、検波されたシンボルを処理し（例えば、復調し、復号する）、ＵＥ１２０ｙに関する復号されたデータをデータシンク１３６０に与え、復号された制御情報をコントローラ／プロセッサ１３８０に与えることができる。
【００９５】
アップリンクで、ＵＥ１２０ｙにおいて、送信プロセッサ１３６４は、データソース１３６２からのデータとコントローラ／プロセッサ１３８０からの制御情報（例えば、ＡＣＫ／ＮＡＣＫ情報）とを受信し、処理することができる。プロセッサ１３６４は、１つまたはそれより多くの基準信号に関する基準シンボルを生成することもできる。送信プロセッサ１３６４からのシンボルは、適用可能な場合、ＴＸ  ＭＩＭＯプロセッサ１３６６によってプリコーディングされ、（例えば、ＳＣ−ＦＤＭなどのために）変調器１３５４ａから１３５４ｒによってさらに処理され、基地局１１０ｙに送信されることができる。基地局１１０ｙにおいて、ＵＥ１２０ｙとその他のＵＥとからのアップリンク信号は、アンテナ１３３４によって受信され、復調器１３３２によって処理され、適用可能な場合はＭＩＭＯ検波器１３３６によって検波され、ＵＥ１２０ｙとその他のＵＥとによって送られた復号されたデータと制御情報とを得るために受信プロセッサ１３３８によってさらに処理されることができる。プロセッサ１３３８は、復号されたデータをデータシンク１３３９に与え、復号された制御情報をコントローラ／プロセッサ１３４０に与えることができる。
【００９６】
コントローラ／プロセッサ１３４０と１３８０とは、それぞれ基地局１１０ｙとＵＥ１２０ｙとにおける動作を指示することができる。基地局１１０ｙのプロセッサ１３４０および／またはその他のプロセッサとモジュールとは、図７のプロセス７００、図９のプロセス９００、図１１のプロセス１１００、および／または本明細書に記載の技術に関するその他のプロセスを実行するか、または指示することができる。ＵＥ１２０ｙのプロセッサ１３８０および／またはその他のプロセッサとモジュールとは、図６のプロセス６００、図８のプロセス８００、図１０のプロセス１０００、および／または本明細書に記載の技術に関するその他のプロセスを実行するか、または指示することができる。メモリ１３４２および１３８２は、それぞれ基地局１１０ｙとＵＥ１２０ｙとのためのデータとプログラムコードとを記憶することができる。スケジューラ１３４４は、ダウンリンクおよび／またはアップリンクでのデータ送信のためにＵＥをスケジューリングすることができる。
【００９７】
本技術における技量をもつ者は、情報と信号とが、さまざまな異なるテクノロジーと技術とのうちのいずれかを使用して表され得ることを理解するであろう。例えば、上の説明中に記載される得るデータと、命令と、コマンドと、情報と、信号と、ビットと、シンボルと、チップとは、電圧、電流、電磁波、磁界もしくは磁気的粒子、光場もしくは光学的粒子、またはこれらの任意の組合せで表され得る。
【００９８】
さらに、当業者は、本明細書の開示に関連して説明されたさまざまな例示的な論理ブロックと、モジュールと、回路と、アルゴリズムのステップとが、電子的なハードウェア、コンピュータソフトウェア、またはこれら両方の組合せとして実装され得ることを理解するであろう。ハードウェアとソフトウェアとのこの互換性を明確に示すために、さまざまな例示的なコンポーネントと、ブロックと、モジュールと、回路と、ステップとが、概してそれらの機能の観点で、上に説明されている。そのような機能がハードウェアとして実装されるか、またはソフトウェアとして実装されるかは、システム全体に課された特定の用途と設計例の制約とによって決まる。当業者は、説明された機能をそれぞれの特定の用途のためにさまざまな方法で実装することができるが、そのような実装の判断は本開示の範囲からの逸脱をもたらすものと解釈されてはならない。
【００９９】
本明細書の開示に関連して説明されたさまざまな例示的な論理ブロックと、モジュールと、回路とは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくはその他のプログラマブルロジックデバイス、離散的なゲートもしくはトランジスタ論理、離散的なハードウェアコンポーネント、または本明細書において説明された機能を実行するように設計例されたこれらの任意の組合せを用いて実装または実行されることができる。汎用プロセッサはマイクロプロセッサであってよいが、別法として、プロセッサは、任意の通常のプロセッサ、コントローラ、マイクロコントローラ、または状態機械であってよい。プロセッサは、コンピューティングデバイスの組合せ、例えばＤＳＰとマイクロプロセッサとの組合せ、それより多くのマイクロプロセッサ、ＤＳＰコアと連携する１つもしくはそれより多くのマイクロプロセッサ、または任意のその他のそのような構成としても実装され得る。
【０１００】
本明細書の開示に関連して説明された方法またはアルゴリズムのステップは、直接ハードウェアで、プロセッサによって実行されるソフトウェアモジュールで、またはこれら２つの組合せで具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意のその他の形態のストレージ媒体に存在し得る。例示的なストレージ媒体は、プロセッサが当該ストレージ媒体から情報を読むことができ、当該ストレージ媒体に情報を書き込むことができるようにプロセッサに結合される。別法として、ストレージ媒体はプロセッサに一体化され得る。プロセッサおよびストレージ媒体は、ＡＳＩＣ内に存在し得る。ＡＳＩＣは、ユーザ端末内に存在し得る。別法として、プロセッサおよびストレージ媒体は、ユーザ端末内の別個のコンポーネントとして存在し得る。
【０１０１】
１つまたはそれより多くの例示的な設計例において、説明された機能は、ハードウェア、ソフトウェア、ファームウェア、またはこれらの任意の組合せで実装され得る。ソフトウェアで実装される場合、機能は、１つまたはそれより多くの命令またはコードとしてコンピュータ可読媒体上に記憶されるか、またはコンピュータ可読媒体上で送信され得る。コンピュータ可読媒体は、１つの場所から別の場所へのコンピュータプログラムの移送を容易にする任意の媒体を含むコンピュータストレージ媒体と通信媒体の両方を含む。ストレージ媒体は、汎用または専用コンピュータによってアクセスされることができる任意の利用可能な媒体であってよい。限定ではなく例として、そのようなコンピュータ可読媒体は、ＲＡＭ、ＲＯＭ、ＥＥＰＲＯＭ、ＣＤ−ＲＯＭもしくはその他の光ディスクストレージ、磁気ディスクストレージもしくはその他の磁気ストレージデバイス、または命令もしくはデータ構造の形態で所望のプログラムコード手段を搬送もしくは記憶するために使用されることができ、汎用もしくは専用コンピュータまたは汎用もしくは専用プロセッサによってアクセスされ得る任意のその他の媒体を備え得る。また、当然、任意の接続がコンピュータ可読媒体と呼ばれる。例えば、ソフトウェアが、同軸ケーブル、光ファイバケーブル、ツイストペアケーブル、またはデジタル加入者線（ＤＳＬ）を用いてウェブサイト、サーバ、またはその他のリモートソースから送信される場合、同軸ケーブル、光ファイバケーブル、ツイストペアケーブル、またはＤＳＬは、媒体の定義に含まれる。本明細書で使用されるとき、ディスク（ｄｉｓｋ）とディスク（ｄｉｓｃ）とは、コンパクトディスク（ｃｏｍｐａｃｔ  ｄｉｓｃ）（ＣＤ）、レーザディスク（ｌａｓｅｒ  ｄｉｓｃ）、光ディスク（ｏｐｔｉｃａｌ  ｄｉｓｃ）、デジタルバーサタイルディスク（ｄｉｇｉｔａｌ  ｖｅｒｓａｔｉｌｅ  ｄｉｓｃ）（ＤＶＤ）、フロッピー（登録商標）ディスク（ｆｌｏｐｐｙ（登録商標）  ｄｉｓｋ）、およびブルーレイ（登録商標）ディスク（ｂｌｕ−ｒａｙ  ｄｉｓｃ）を含み、ディスク（ｄｉｓｋ）が、通常、磁気的にデータを再生する一方、ディスク（ｄｉｓｃ）は、レーザを用いて光学的にデータを再生する。上記の媒体の組合せも、コンピュータ可読媒体の範囲に含まれるべきである。
【０１０２】
本開示の上記の説明は、当業者が本開示を作製するまたは使用することを可能にするために提供される。本開示に対するさまざまな修正が当業者には容易に明らかとなり、本明細書で定義された包括的な原理は、本開示の精神または範囲を逸脱することなくその他の変更形態に適用されることができる。したがって、本開示は、本明細書において説明された例と設計例とに限定されるように意図されておらず、本明細書において開示された原理と新規性のある特徴とに合致する最も広い範囲を与えられるべきである。
以下に、本願出願の当初の特許請求の範囲に記載された発明を付記する。
［Ｃ１］  ユーザ機器（ＵＥ）による使用のために構成される複数のキャリア上でのデータ送信を受信することと、  前記ＵＥにおいて、前記データ送信に対する肯定応答／否定応答（ＡＣＫ／ＮＡＣＫ）ビットを決定することと、  ＡＣＫ／ＮＡＣＫビットをバンドルすべき少なくとも２つのキャリアを決定すること、前記少なくとも２つのキャリアは前記複数のキャリアのサブセットである、と、  前記少なくとも２つのキャリア上での前記データ送信に対して、キャリアにまたがって、前記ＡＣＫ／ＮＡＣＫビットをバンドルすることと、  前記少なくとも２つのキャリア上での前記データ送信に対する少なくとも１つのバンドルされたＡＣＫ／ＮＡＣＫビットを備えるＡＣＫ／ＮＡＣＫ情報を送ることと、  を備える、ワイヤレス通信のための方法。
［Ｃ２］  ＡＣＫ／ＮＡＣＫビットをバンドルすべき前記少なくとも２つのキャリアを決定することは、同じ周波数帯域から前記少なくとも２つのキャリアを選択することを備える、［Ｃ１］に記載の方法。
［Ｃ３］  ＡＣＫ／ＮＡＣＫビットをバンドルすべき前記少なくとも２つのキャリアを決定することは、前記データ送信が受信されるキャリアの数に基づく、［Ｃ１］に記載の方法。
［Ｃ４］  ＡＣＫ／ＮＡＣＫビットをバンドルすべき前記少なくとも２つのキャリアを決定することは、前記複数のキャリア上の前記データ送信に対する前記ＡＣＫ／ＮＡＣＫビットの総数に基づく、［Ｃ１］に記載の方法。
［Ｃ５］  前記少なくとも２つのキャリアにまたがってバンドルすることは、ＡＣＫ／ＮＡＣＫビットの前記総数がＡＣＫ／ＮＡＣＫビットの閾値の数を超えるときに実行される、［Ｃ４］に記載の方法。
［Ｃ６］  ＡＣＫ／ＮＡＣＫビットをバンドルすべき前記少なくとも２つのキャリアを決定することは、前記ＡＣＫ／ＮＡＣＫ情報を送るために利用可能なペイロードビット数に基づく、［Ｃ１］に記載の方法。
［Ｃ７］  ＡＣＫ／ＮＡＣＫビットをバンドルすべき前記少なくとも２つのキャリアを決定することは、前記複数のキャリアのそれぞれに係るデータ送信モードに基づいて、前記少なくとも２つのキャリアを選択することを備える、［Ｃ１］に記載の方法。
［Ｃ８］  ＡＣＫ／ＮＡＣＫビットをバンドルすべき前記少なくとも２つのキャリアを決定することは、  キャリアにまたがってＡＣＫ／ＮＡＣＫビットをバンドルすべきキャリアのグループを示す構成メッセージを受信することと、  キャリアの前記グループにしたがって前記少なくとも２つのキャリアを決定することと、  を備える、［Ｃ１］に記載の方法。
［Ｃ９］  ＡＣＫ／ＮＡＣＫビットをバンドルすべき前記少なくとも２つのキャリアを決定することは、前記複数のキャリアのそれぞれに係る終了目標に基づいて、前記少なくとも２つのキャリアを選択することを備える、［Ｃ１］に記載の方法。
［Ｃ１０］  ＡＣＫ／ＮＡＣＫビットをバンドルすべき前記少なくとも２つのキャリアを決定することは、  前記複数のキャリアの中の各キャリアに関連付けられる干渉特性を決定することと、  干渉特性の類似性に基づいて、前記少なくとも２つのキャリアを選択することと、  を備える、［Ｃ１］に記載の方法。
［Ｃ１１］  前記ＡＣＫ／ＮＡＣＫ情報は、さらに、前記複数のキャリアの中の少なくとも１つの残りのキャリア上での少なくとも１つのデータ送信に対する少なくとも１つのＡＣＫ／ＮＡＣＫビットを、キャリアをまたがった前記少なくとも１つのＡＣＫ／ＮＡＣＫビットのバンドリングなしで備える、［Ｃ１］に記載の方法。
［Ｃ１２］  前記ＡＣＫ／ＮＡＣＫ情報を送ることは、前記複数のキャリアに関連付けられる単一のアップリンクキャリア上で前記ＡＣＫ／ＮＡＣＫ情報を送ることを備える、［Ｃ１］に記載の方法。
［Ｃ１３］  前記複数のキャリアの中の少なくとも１つのキャリア上でのデータ送信に対するＡＣＫ／ＮＡＣＫビットの空間バンドリングを実行することをさらに備える、［Ｃ１］に記載の方法。
［Ｃ１４］  複数のサブフレームにおける少なくとも１つのキャリア上でのデータ送信に対するＡＣＫ／ＮＡＣＫビットのサブフレームバンドリングを実行すること、前記少なくとも１つのキャリアは前記複数のキャリア内にある、を備える、［Ｃ１］に記載の方法。
［Ｃ１５］  ユーザ機器（ＵＥ）による使用のために構成される複数のキャリア上でのデータ送信を受信するための手段と、  前記ＵＥにおいて、前記複数のキャリア上での前記データ送信に対する肯定応答／否定応答（ＡＣＫ／ＮＡＣＫ）ビットを決定するための手段と、  ＡＣＫ／ＮＡＣＫビットをバンドルすべき少なくとも２つのキャリアを決定するための手段、前記少なくとも２つのキャリアは前記複数のキャリアのサブセットである、と、  前記少なくとも２つのキャリア上での前記データ送信に対する前記ＡＣＫ／ＮＡＣＫビットを、キャリアにまたがってバンドルするための手段と、  前記少なくとも２つのキャリア上での前記データ送信に対する少なくとも１つのバンドルされたＡＣＫ／ＮＡＣＫビットを備えるＡＣＫ／ＮＡＣＫ情報を送るための手段と、  を備える、ワイヤレス通信のための装置。
［Ｃ１６］  ＡＣＫ／ＮＡＣＫビットをバンドルすべき前記少なくとも２つのキャリアを決定するための前記手段は、データ送信が受信されるキャリアの数、前記複数のキャリア上での前記データ送信に対するＡＣＫ／ＮＡＣＫビットの総数、前記ＡＣＫ／ＮＡＣＫ情報を送るために利用可能なペイロードビット数、前記複数のキャリアのそれぞれの周波数帯域、前記複数のキャリアのそれぞれに係るデータ送信モード、前記複数のキャリアのそれぞれに係る終了目標、前記複数のキャリアのそれぞれに関連付けられる干渉特性、前記ＵＥのための構成メッセージ、または、これらの組合せに基づいて、ＡＣＫ／ＮＡＣＫビットをバンドルすべき前記少なくとも２つのキャリアを決定するための手段を備える、［Ｃ１５］に記載の装置。
［Ｃ１７］  前記ＡＣＫ／ＮＡＣＫ情報は、さらに、前記複数のキャリアの中の少なくとも１つの残りのキャリア上での少なくとも１つのデータ送信に対する少なくとも１つのＡＣＫ／ＮＡＣＫビットを、キャリアにまたがった前記少なくとも１つのＡＣＫ／ＮＡＣＫビットのバンドリングなしでえる、［Ｃ１５］に記載の装置。
［Ｃ１８］  ユーザ機器（ＵＥ）による使用のために構成される複数のキャリア上でのデータ送信を受信することと、  前記ＵＥにおいて、前記複数のキャリア上での前記データ送信に対する肯定応答／否定応答（ＡＣＫ／ＮＡＣＫ）ビットを決定することと、  ＡＣＫ／ＮＡＣＫビットをバンドルすべき少なくとも２つのキャリアを決定すること、前記少なくとも２つのキャリアは前記複数のキャリアのサブセットである、と、  前記少なくとも２つのキャリア上での前記データ送信に対する前記ＡＣＫ／ＮＡＣＫビットを、キャリアにまたがってバンドルすることと、  前記少なくとも２つのキャリア上での前記データ送信に対する少なくとも１つのバンドルされたＡＣＫ／ＮＡＣＫビットを備えるＡＣＫ／ＮＡＣＫ情報を送ることと、  のために構成された少なくとも１つのプロセッサと、  前記少なくとも１つのプロセッサに接続されるメモリと、  を備える、ワイヤレス通信のための装置。
［Ｃ１９］  前記少なくとも１つのプロセッサは、データ送信が受信されるキャリアの数、前記複数のキャリア上での前記データ送信に対するＡＣＫ／ＮＡＣＫビットの総数、前記ＡＣＫ／ＮＡＣＫ情報を送るために利用可能なペイロードビット数、前記複数のキャリアのそれぞれの周波数帯域、前記複数のキャリアのそれぞれに係るデータ送信モード、前記複数のキャリアのそれぞれに係る終了目標、前記複数のキャリアのそれぞれに関連付けられる干渉特性、前記ＵＥのための構成メッセージ、または、これらの組合せに基づいて、ＡＣＫ／ＮＡＣＫビットをバンドルすべき前記少なくとも２つのキャリアを決定するように構成される、［Ｃ１８］に記載の装置。
［Ｃ２０］  前記ＡＣＫ／ＮＡＣＫ情報は、さらに、前記複数のキャリアの中の少なくとも１つの残りのキャリア上での少なくとも１つのデータ送信に対する少なくとも１つのＡＣＫ／ＮＡＣＫビットを、キャリアにまたがった前記少なくとも１つのＡＣＫ／ＮＡＣＫビットのバンドリングなしに備える、［Ｃ１８］に記載の装置。
［Ｃ２１］  少なくとも１つのコンピュータに、ユーザ機器（ＵＥ）による使用のために構成される複数のキャリア上でのデータ送信を受信させるためのコードと、  前記少なくとも１つのコンピュータに、前記ＵＥにおいて、前記複数のキャリア上で前記データ送信に対する肯定応答／否定応答（ＡＣＫ／ＮＡＣＫ）ビットを決定させるためのコードと、  前記少なくとも１つのコンピュータに、ＡＣＫ／ＮＡＣＫビットをバンドルすべき少なくとも２つのキャリアを決定させるためのコード、前記少なくとも２つのキャリアは前記複数のキャリアのサブセットである、と、  前記少なくとも１つのコンピュータに、前記少なくとも２つのキャリア上での前記データ送信に対する前記ＡＣＫ／ＮＡＣＫビットを、キャリアにまたがってバンドルさせるためのコードと、  前記少なくとも１つのコンピュータに、前記少なくとも２つのキャリア上での前記データ送信に対する少なくとも１つのバンドルされたＡＣＫ／ＮＡＣＫビットを備えるＡＣＫ／ＮＡＣＫ情報を送らせるためのコードと、  を備える非一時的コンピュータ可読媒体を備える、コンピュータプログラム製品。
［Ｃ２２］  ユーザ機器（ＵＥ）に、前記ＵＥによる使用のために構成される複数のキャリア上でデータ送信を送ることと、  前記複数のキャリアの中の少なくとも２つのキャリア上でのデータ送信に関連する少なくとも１つのバンドルされた肯定応答／否定応答（ＡＣＫ／ＮＡＣＫ）ビットを備えるＡＣＫ／ＮＡＣＫ情報を、前記ＵＥから受信することと、  前記少なくとも１つのバンドルされたＡＣＫ／ＮＡＣＫビットに基づいて、前記少なくとも２つのキャリア上での前記データ送信に対するＡＣＫ／ＮＡＣＫビットを得ることと、  を備える、ワイヤレス通信のための方法。
［Ｃ２３］  前記ＡＣＫ／ＮＡＣＫビットに基づいて、前記少なくとも２つのキャリア上での前記データ送信のそれぞれを終了するか、または継続するかを決定することをさらに備える、［Ｃ２２］に記載の方法。
［Ｃ２４］  ユーザ機器（ＵＥ）に、前記ＵＥよる使用のために構成される複数のキャリア上でデータ送信を送るための手段と、  前記複数のキャリアの中の少なくとも２つのキャリア上でのデータ送信に関連する少なくとも１つのバンドルされた肯定応答／否定応答（ＡＣＫ／ＮＡＣＫ）ビットを備えるＡＣＫ／ＮＡＣＫ情報を、前記ＵＥから受信するための手段と、  前記少なくとも１つのバンドルされたＡＣＫ／ＮＡＣＫビットに基づいて、前記少なくとも２つのキャリア上での前記データ送信に対するＡＣＫ／ＮＡＣＫビットを得るための手段と、  を備える、ワイヤレス通信のための装置。
［Ｃ２５］  前記ＡＣＫ／ＮＡＣＫビットに基づいて、前記少なくとも２つのキャリア上での前記データ送信のそれぞれを終了するか、または継続するかを決定するための手段をさらに備える、［Ｃ２４］に記載の装置。
［Ｃ２６］  ユーザ機器（ＵＥ）による使用のために構成される複数のキャリア上でのデータ送信を受信することと、  前記ＵＥにおいて、前記複数のキャリア上での前記データ送信に対する肯定応答／否定応答（ＡＣＫ／ＮＡＣＫ）ビットを決定することと、  前記複数のキャリアのためのＡＣＫ／ＮＡＣＫ情報を送るために、少なくとも１つのＡＣＫ／ＮＡＣＫ送信技術を決定すること、前記少なくとも１つのＡＣＫ／ＮＡＣＫ送信技術は、マルチキャリア動作において前記ＵＥが利用可能な複数のＡＣＫ／ＮＡＣＫ送信技術から選択される、と、  前記少なくとも１つのＡＣＫ／ＮＡＣＫ送信技術に基づいて、前記データ送信に対する前記ＡＣＫ／ＮＡＣＫビットを送ることと、  を備える、ワイヤレス通信のための方法。
［Ｃ２７］  前記少なくとも１つのＡＣＫ／ＮＡＣＫ送信技術を決定することは、  前記複数のキャリア上での前記データ送信に対するＡＣＫ／ＮＡＣＫビットの総数が所定の値よりも多い場合、または、データ送信が受信されるキャリアの数が所定の閾値よりも多いとき場合に、直交系列削減技術を選択すること、  を備える、［Ｃ２６］に記載の方法。
［Ｃ２８］  前記少なくとも１つのＡＣＫ／ＮＡＣＫ送信技術を決定することは、  前記複数のキャリア上での前記データ送信に対するＡＣＫ／ＮＡＣＫビットの総数が所定の値よりも多いとき、または、データ送信が受信されるキャリアの数が所定の閾値よりも多いときに、空間バンドリング技術を選択することを備える、［Ｃ２６］に記載の方法。
［Ｃ２９］  前記少なくとも１つのＡＣＫ／ＮＡＣＫ送信技術を決定することは、  前記複数のキャリア上での前記データ送信に対するＡＣＫ／ＮＡＣＫビットの総数が所定の値よりも多いとき、または、データ送信が受信されるキャリアの数が所定の閾値よりも多いときに、チャネル選択技術を選択することを備える、［Ｃ２６］に記載の方法。
［Ｃ３０］  前記少なくとも１つのＡＣＫ／ＮＡＣＫ送信技術は、データ送信が受信されるキャリアの数に基づいて選択される、［Ｃ２６］に記載の方法。
［Ｃ３１］  前記少なくとも１つのＡＣＫ／ＮＡＣＫ送信技術は、前記複数のキャリア上での前記データ送信に対するＡＣＫ／ＮＡＣＫビットの総数に基づいて選択される［Ｃ２６］に記載の方法。
［Ｃ３２］  前記少なくとも１つのＡＣＫ／ＮＡＣＫ送信技術は、前記複数のキャリアのそれぞれに係るデータ送信フォーマットに基づいて選択される、［Ｃ２６］に記載の方法。
［Ｃ３３］  前記少なくとも１つのＡＣＫ／ＮＡＣＫ送信技術は、時分割多重（ＴＤＤ）におけるアップリンクサブフレームに対するダウンリンクサブフレームの比に基づいて選択される、［Ｃ２６］に記載の方法。
［Ｃ３４］  前記少なくとも１つのＡＣＫ／ＮＡＣＫ送信技術は、前記複数のサポートされるＡＣＫ／ＮＡＣＫ送信技術の優先順位に基づいて選択される、［Ｃ２６］に記載の方法。
［Ｃ３５］  前記少なくとも１つのＡＣＫ／ＮＡＣＫ送信技術は、通常の長さよりも短い長さの直交系列を用いてＡＣＫ／ＮＡＣＫビットを送るための直交系列削減技術を含む、［Ｃ２６］に記載の方法。
［Ｃ３６］  前記少なくとも１つのＡＣＫ／ＮＡＣＫ送信技術は、空間多重を用いてキャリア上で同時に送られる複数のデータ送信に対するＡＣＫ／ＮＡＣＫビットをバンドルするための空間バンドリング技術を含む、［Ｃ２６］に記載の方法。
［Ｃ３７］  前記少なくとも１つのＡＣＫ／ＮＡＣＫ送信技術は、複数のリソースのうちの１つを用いてＡＣＫ／ＮＡＣＫ情報を送るためのチャネル選択技術を含む、［Ｃ２６］に記載の方法。
［Ｃ３８］  前記少なくとも１つのＡＣＫ／ＮＡＣＫ送信技術は、サブフレームにおける複数のキャリア上で送られる複数のパケットに対するＡＣＫ／ＮＡＣＫビットをバンドルするためのキャリアバンドリング技術を含む、［Ｃ２６］に記載の方法。
［Ｃ３９］  前記少なくとも１つのＡＣＫ／ＮＡＣＫ送信技術は、複数のサブフレームにおけるキャリア上で送られる複数のパケットに対するＡＣＫ／ＮＡＣＫビットをバンドルするためのサブフレームバンドリング技術を含む、［Ｃ２６］に記載の方法。
［Ｃ４０］  ユーザ機器（ＵＥ）による使用のために構成される複数のキャリア上でのデータ送信を受信するための手段と、  前記ＵＥにおいて、前記複数のキャリア上での前記データ送信に対する肯定応答／否定応答（ＡＣＫ／ＮＡＣＫ）ビットを決定するための手段と、  ＡＣＫ／ＮＡＣＫ情報を送るための少なくとも１つのＡＣＫ／ＮＡＣＫ送信技術を決定するための手段、前記少なくとも１つのＡＣＫ／ＮＡＣＫ送信技術は、マルチキャリア動作において前記ＵＥに利用可能な複数のＡＣＫ／ＮＡＣＫ送信技術から選択される、と、  前記少なくとも１つのＡＣＫ／ＮＡＣＫ送信技術に基づいて、前記複数のキャリア上での前記データ送信に対する前記ＡＣＫ／ＮＡＣＫビットを送るための手段と、  を備える、ワイヤレス通信のための装置。
［Ｃ４１］  前記少なくとも１つのＡＣＫ／ＮＡＣＫ送信技術は、データ送信が受信されるキャリアの数、前記複数のキャリア上での前記データ送信に対するＡＣＫ／ＮＡＣＫビットの総数、前記複数のキャリアのそれぞれに係るデータ送信フォーマット、時分割多重（ＴＤＤ）におけるアップリンクサブフレームに対するダウンリンクサブフレームの比、前記複数のサポートされるＡＣＫ／ＮＡＣＫ送信技術の優先順位、または、これらの組合せに基づいて選択される、［Ｃ４０］に記載の装置。
［Ｃ４２］  前記少なくとも１つのＡＣＫ／ＮＡＣＫ送信技術は、直交系列削減技術、空間バンドリング技術、チャネル選択技術、キャリアバンドリング技術、サブフレームバンドリング技術、または、これらの組合せを含む、［Ｃ４０］に記載の装置。
［Ｃ４３］  ユーザ機器（ＵＥ）による使用のために構成される複数のキャリア上でのデータ送信を受信することと、  前記複数のキャリア上の前記データ送信に対する肯定応答／否定応答（ＡＣＫ／ＮＡＣＫ）ビットを決定することと、  ＡＣＫ／ＮＡＣＫ情報を送るための少なくとも１つのＡＣＫ／ＮＡＣＫ送信技術を決定すること、前記少なくとも１つのＡＣＫ／ＮＡＣＫ送信技術は、マルチキャリア動作において前記ＵＥに利用可能な複数のＡＣＫ／ＮＡＣＫ送信技術から選択される、と、  前記少なくとも１つのＡＣＫ／ＮＡＣＫ送信技術に基づいて、前記複数のキャリア上での前記データ送信に対する前記ＡＣＫ／ＮＡＣＫビットを送ることと、  のために構成される少なくとも１つのプロセッサと、  前記少なくとも１つのプロセッサに接続されるメモリと、  を備える、ワイヤレス通信のための装置。
［Ｃ４４］  前記少なくとも１つのＡＣＫ／ＮＡＣＫ送信技術は、データ送信が受信されるキャリアの数、前記複数のキャリア上での前記データ送信に対するＡＣＫ／ＮＡＣＫビットの総数、前記複数のキャリアのそれぞれに係るデータ送信フォーマット、時分割多重（ＴＤＤ）におけるアップリンクサブフレームに対するダウンリンクサブフレームの比、前記複数のサポートされるＡＣＫ／ＮＡＣＫ送信技術の優先順位、または、これらの組合せに基づいて選択される、［Ｃ４３］に記載の装置。
［Ｃ４５］  前記少なくとも１つのＡＣＫ／ＮＡＣＫ送信技術は、直交系列削減技術、空間バンドリング技術、チャネル選択技術、キャリアバンドリング技術、サブフレームバンドリング技術、または、これらの組合せを含む、［Ｃ４３］に記載の装置。
［Ｃ４６］  少なくとも１つのコンピュータに、ユーザ機器（ＵＥ）による使用のために構成される複数のキャリア上でのデータ送信を受信させるためのコードと、  前記少なくとも１つのコンピュータに、前記複数のキャリア上での前記データ送信に対する肯定応答／否定応答（ＡＣＫ／ＮＡＣＫ）ビットを決定させるためのコードと、  前記少なくとも１つのコンピュータに、ＡＣＫ／ＮＡＣＫ情報を送るための少なくとも１つのＡＣＫ／ＮＡＣＫ送信技術を決定させるためのコード、前記少なくとも１つのＡＣＫ／ＮＡＣＫ送信技術は、マルチキャリア動作において前記ＵＥに利用可能な複数のＡＣＫ／ＮＡＣＫ送信技術から選択される、と、  前記少なくとも１つのコンピュータに、前記少なくとも１つのＡＣＫ／ＮＡＣＫ送信技術に基づいて、前記複数のキャリア上での前記データ送信に対する前記ＡＣＫ／ＮＡＣＫビットを送らせるためのコードと、  を備える非一時的コンピュータ可読媒体を備える、コンピュータプログラム製品。
［Ｃ４７］  ユーザ機器（ＵＥ）に、前記ＵＥによる使用のために構成される複数のキャリア上で、データ送信を送ることと、  前記複数のキャリア上での前記データ送信に対応するＡＣＫ／ＮＡＣＫ情報を前記ＵＥから受信することと、  前記ＡＣＫ／ＮＡＣＫ情報を送るために前記ＵＥによって使用される少なくとも１つのＡＣＫ／ＮＡＣＫ送信技術を決定すること、前記少なくとも１つのＡＣＫ／ＮＡＣＫ送信技術は、マルチキャリア動作において前記ＵＥに利用可能な複数のＡＣＫ／ＮＡＣＫ送信技術から選択される、と、  前記ＡＣＫ／ＮＡＣＫ情報と前記少なくとも１つのＡＣＫ／ＮＡＣＫ送信技術とに基づいて、前記複数のキャリア上での前記データ送信に対するＡＣＫ／ＮＡＣＫビットを復元することと、を備える、ワイヤレス通信のための方法。
［Ｃ４８］  前記ＡＣＫ／ＮＡＣＫビットに基づいて、前記複数のキャリア上での前記データ送信のそれぞれを終了するか、または継続するかを決定すること、  をさらに備える、［Ｃ４７］に記載の方法。
［Ｃ４９］  ユーザ機器（ＵＥ）に、前記ＵＥによる使用のために構成される複数のキャリア上でデータ送信を送るための手段と、  前記複数のキャリア上での前記データ送信に対応するＡＣＫ／ＮＡＣＫ情報を、前記ＵＥから受信するための手段と、  前記ＡＣＫ／ＮＡＣＫ情報を送るために前記ＵＥによって使用される少なくとも１つのＡＣＫ／ＮＡＣＫ送信技術を決定するための手段、前記少なくとも１つのＡＣＫ／ＮＡＣＫ送信技術は、マルチキャリア動作において前記ＵＥに利用可能な複数のＡＣＫ／ＮＡＣＫ送信技術から選択される、と、  前記ＡＣＫ／ＮＡＣＫ情報と前記少なくとも１つのＡＣＫ／ＮＡＣＫ送信技術とに基づいて、前記複数のキャリア上での前記データ送信に対するＡＣＫ／ＮＡＣＫビットを復元するための手段と、  を備える、ワイヤレス通信のための装置。
［Ｃ５０］  前記ＡＣＫ／ＮＡＣＫビットに基づいて、前記複数のキャリア上での前記データ送信のそれぞれを終了するか、または継続するかを決定するための手段をさらに備える、［Ｃ４９］に記載の装置。
【図１】
0005529337.tif 000009
【図２】
0005529337.tif 000010
【図３】
0005529337.tif 000011
【図４】
0005529337.tif 000012
【図５】
0005529337.tif 000013
【図６】
0005529337.tif 000014
【図７】
0005529337.tif 000015
【図８】
0005529337.tif 000016
【図９】
0005529337.tif 000017
【図１０】
0005529337.tif 000018
【図１１】
0005529337.tif 000019
【図１２】
0005529337.tif 000020
【図１３】
0005529337.tif 000021